(57)【特許請求の範囲】
【請求項１】
プラズマプロセスチャンバ内において基板ホルダ上で基板を受ける工程；
前記プラズマプロセスチャンバ内において酸素含有プラズマを用いることによって前記基板の第1部分を処理する工程；
前記プラズマプロセスチャンバ内においてフルオロカーボンプラズマを用いることによって前記基板から前記第1部分を選択的に除去する工程；
前記酸素含有プラズマを用いることによって前記基板の第2部分を処理する工程；及び、
前記フルオロカーボンプラズマを用いることによって前記第2部分を選択的に除去する工程、
を有する基板の処理方法。
【請求項２】
前記フルオロカーボンプラズマがＣｘＦｙＨｚ気体を含む、請求項１に記載の方法。
【請求項３】
前記第１部分又は第２部分を処理する工程が、１０００Ｗ乃至３０００Ｗの電源電力を０．６６７Ｐａ乃至１３３．３Ｐａの第１圧力に維持される前記プラズマプロセスチャンバへ印加する工程を有する、請求項１に記載の方法。
【請求項４】
前記第１部分又は第２部分を除去する工程が：
１０００Ｗ乃至３０００Ｗの電源電力と１０Ｗ乃至２００Ｗのバイアス電力を前記プラズマプロセスチャンバへ印加する工程；及び、
前記プラズマプロセスチャンバ内において０．６６７Ｐａ乃至１３３．３Ｐａの第２圧力に前記プラズマプロセスチャンバを維持する工程、
を有する、請求項１に記載の方法。
【請求項５】
前記酸素含有プラズマと前記フルオロカーボンプラズマとを交互に繰り返す工程をさらに有する、請求項１に記載の方法。
【請求項６】
前記交互に繰り返す工程が、前記フルオロカーボンプラズマの連続する反復について少なくとも５％だけ、バイアス電力を増大させる工程を有する、請求項５に記載の方法。
【請求項７】
前記基板がシリコン基板を含み、かつ、
前記シリコン基板は、該シリコン基板の一部を曝露するパターニングされた表面層の下に存在する、
請求項１に記載の方法。
【請求項８】
前記第１部分又は第２部分を処理する工程が、１００ｍｓ乃至３０００ｍｓの期間を有する、請求項１に記載の方法。
【請求項９】
前記第１部分又は第２部分を除去する工程が、１００ｍｓ乃至３０００ｍｓの期間を有する、請求項７に記載の方法。
【請求項１０】
前記第１部分を処理する工程及び除去する工程が５秒を超えない期間を有する、請求項１に記載の方法。
【請求項１１】
プラズマプロセスチャンバ内において基板ホルダ上で基板を受ける工程；
酸素、フッ素、及び炭素の元素を含む第1プラズマを用いることによって前記基板の第1部分を処理する工程であって、前記プラズマプロセスチャンバに、電源電力とバイアス電力を印加することを含む、工程；
実質的にフッ素及び炭素の元素で構成される第2プラズマを用いて、前記処理された基板の前記第1部分を選択的に除去する工程であって、前記プラズマプロセスチャンバに電源電力とバイアス電力を印加することを含む、工程；
前記第1プラズマを用いて、前記基板の第2部分を処理する工程であって、前記基板の前記第2部分は、前記基板の前記第1部分の除去により曝露される、工程；並びに、
前記第2プラズマを用いて、前記基板の前記第2部分を選択的に除去する工程、
を有する基板の処理方法。
【請求項１２】
前記第２プラズマが、ＣＦ４、Ｃ４Ｆ６、又はＣ４Ｆ８のうちの１つ以上を含む、請求項１１に記載の方法。
【請求項１３】
前記第１部分又は第２部分を処理する工程が、１０００Ｗ乃至３０００Ｗの電源電力と１０Ｗ乃至２００Ｗのバイアス電力を０．６６７Ｐａ乃至１３３．３Ｐａの第１圧力に維持される前記プラズマプロセスチャンバへ印加する工程を有する、請求項１１に記載の方法。
【請求項１４】
前記第１部分又は第２部分を除去する工程が：
１０００Ｗ乃至３０００Ｗの電源電力と１０Ｗ乃至２００Ｗのバイアス電力を前記プラズマプロセスチャンバへ印加する工程；及び、
前記プラズマプロセスチャンバ内において０．６６７Ｐａ乃至１３３．３Ｐａの第２圧力に前記プラズマプロセスチャンバを維持する工程、
を有する、請求項１１に記載の方法。
【発明の詳細な説明】
【技術分野】
【０００１】
本願は、２０１４年７月１０日に出願された米国特許仮出願第６２／０２２８５６号と、２０１４年８月２１日に出願された米国特許仮出願第６２／０４０２１４号と、２０１４年７月１０日に出願された米国特許仮出願第６２／０２２８７３号の利益を主張する。これらの内容は本願において援用される。
【０００２】
本発明は、半導体処理方法に関し、より詳細には、半導体基板の処理のためにプラズマ特性を制御する装置及び方法に関する。
【背景技術】
【０００３】
マイクロエレクトロニクスの特徴部位の幾何学構造は、小さなサイズへ縮小し続け、かつ、複雑さを増大し続けている。従って、マイクロエレクトロニクスデバイスを製造するのに用いられるパターニング法は、小さな特徴部位を生成し、かつ、製造中での膜への損傷を抑制するため、より精密となる必要があると考えられる。これまで、選択エッチング又は高精度エッチングは、前駆体の堆積（パッシベーション）とプラズマ処理を利用したエッチングとを交互に行うことによって試みられてきた。しかしこれらの従来の方法は、アスペクト比、プロファイルのばらつき、及びサイクル時間の問題に悩まされてきた。従って上述の問題を克服し得る新たな高精度エッチング方法が望ましいと考えられる。
【発明の概要】
【発明が解決しようとする課題】
【０００４】
本開示は、マイクロエレクトロニクスデバイスの製造に用いられる基板の高精度エッチング用プラズマ処理方法に関する。
【課題を解決するための手段】
【０００５】
高精度エッチングは、ある周期にわたっての膜の単分子層の系統的除去を有して良い。前記膜の分子層の系統的除去は、目標の膜厚が実現されるまで又は前記膜が前記基板から除去されるまで行われて良い。当該高精度エッチングは、吸着状態と脱離状態との間での遷移が可能なプラズマに前記基板を曝露することによって可能となり得る。たとえば前記吸着状態のプラズマは、前記脱離状態のプラズマによって除去され得る前記基板の一部を前処理又は調製するのに用いられて良い。一の実施例では、前記吸着処理は、下地である前記基板に対する前記基板表面のエッチング選択性を増大させ得る。下地層と比較して前記基板表面でのエッチング選択性が高くなることで、（複数の）単分子層の除去に用いられるプラズマによる下地である前記基板の除去及び／又は損傷を抑制しながら、（複数の）表面単分子層の除去又はエッチングが可能となり得る。一の実施例では、前記単分子層と下地である前記基板との間でのエッチング選択性は、前記除去プロセスが自己制限的となり得るのに十分な高さであって良い。このようにして、前記プラズマ処理は、下地層を除去することなく（複数の）単分子層を積極的又は系統的に除去し得る。前記プラズマ処理は、相対的に拡張された期間中、前記プラズマに曝露されるにもかかわらず、下地である前記基板をエッチングしない。前記基板の高精度エッチングは、吸着状態のプラズマと脱離状態のプラズマとの間で遷移することによって実施されて良い。前記吸着状態のプラズマと脱離状態のプラズマとの間での遷移は、様々なプラズマ処理方法を用いて実施されて良い。
【０００６】
一の実施例では、前記吸着状態のプラズマ（たとえば第１プラズマ）は、プラズマ処理チャンバ内において処理気体混合物へ第１エネルギー源（たとえばマイクロ）を印加することによって生成されて良い。前記気体混合物は、反応気体（たとえばＣｌｘ含有気体、Ｆｘ含有気体、Ｏｘ含有気体等）と希釈気体を含んで良い。前記希釈気体は、前記吸着状態のプラズマの条件下で、前記基板に対して相対的に不活性となり得る。当該高精度エッチング方法のプロセス条件は、チャンバ圧力、電力、気体混合物の組成と濃度を含んで良いが、これらに限定されない。この場合、吸着中、前記チャンバ圧力は４０ｍＴｏｒｒよりも大きく５００ｍＴｏｒｒ未満であって良く、前記第１エネルギー源は、約２．４５ＧＨｚの周波数又は３００ＭＨｚ乃至１０ＧＨｚの範囲内では５００Ｗ乃至１００００Ｗの電力を前記プラズマ処理チャンバ内に設けられたエネルギー源電極へ印加して良い。前記処理気体混合物は、前記吸着プロセス中に体積にして１０％乃至１００％となり得る反応気体を含んで良い。前記吸着状態のプラズマにおいて生成されるイオンとラジカルは、最大５０００ｍｓでより具体的には１００ｍｓ乃至５００ｍｓの期間前記基板の表面を処理するのに用いられて良い。
【０００７】
前記第１プラズマ処理中、前記基板表面の化学組成は、反応気体の種類に依存して、ハロゲン化又は酸化されて良い。実際には、前記基板表面上での吸着層又は酸化層は、下地である前記基板とは識別可能な異なる化学特性及び物理特性を有する。これらの差異は、同一のプラズマに曝露されるときに、前記吸着層が下地である前記基板よりも速い速度で除去されやすくなるような、あるプラズマ条件下でのエッチング速度の差異を含んで良いがこれに限定されない。従って吸着状態のプラズマから脱離状態のプラズマへの遷移によって、所望の量の前記基板が除去されるまで繰り返すことの可能な高い選択性を有するエッチングプロセスが可能となり得る。
【０００８】
前記吸着状態のプラズマは、前記気体混合物、圧力、電力、又はこれらの結合を変化させることによって脱離状態のプラズマへ遷移されて良い。１回以上のガスパージが、前記吸着状態のプラズマと前記脱離状態のプラズマとの間で実施されて良いが、必須ではない。
【０００９】
一の実施例では、脱離状態のプラズマへの遷移は、前記吸着状態のプラズマによって処理又は生成される前記基板の一部（たとえば（複数の）単分子層）を選択的に除去し得るイオンを生成するように、前記気体混合物と前記電力を変化させることによって起こりえる。一の具体的実施例では、前記気体混合物は、体積にして最大１００％の前記希釈気体又は最小０％の前記反応気体を含んで良い。他の実施例では、前記気体混合物は、体積にして１０％未満の前記反応気体へ遷移して良い。このとき残りは前記希釈気体である。前記マイクロ波電力、圧力、及び／又は基板温度は、所望のエッチング速度を実現するように最適化されて良い。一の実施例では、前記脱離状態のプラズマは、前記気体混合物へ、前記マイクロ波電力に加えて第２エネルギー源（たとえばバイアス電力）を印加することによって生成されて良い。とはいえ前記マイクロ波電力は必須ではない。前記バイアス電力は、前記基板近傍のバイアス電極と電気的にやり取りし得る高周波（ＲＦ）電源によって供給されて良い。一の具体的実施例では、前記バイアス電極は前記エネルギー源電極に対向して良く、かつ、前記基板は前記エネルギー源と前記バイアス電極との間に設けられて良い。前記脱離状態のプラズマとバイアス電力は１００ｍｓ乃至３０００ｍｓの間活性であって良い。一の具体的実施例では、前記脱離期間は約３００ｍｓ乃至５５０ｍｓであって良い。一般的には、前記脱離期間は、サイクル期間の制約を解決するため、５００ｍｓ未満であって良い。
【００１０】
前記基板の吸着部分の除去後、前記脱離状態のプラズマは、前記基板の新たに曝露された部分又は表面を処理する吸着状態のプラズマへ戻るように遷移して良い。ある実施例では、前記吸着状態のプラズマと前記脱離状態のプラズマとの間での遷移は、前記吸着状態のプラズマ又は脱離状態のプラズマが、それぞれ異なる期間前記基板へ曝露され得るように、非対称的に起こって良い。遷移に要する期間はまた、２つの処理間に必要とされると考えられるパージ又は気体の交換に依存して変化しても良い。しかし前記パージは必須ではないと考えられる。
【００１１】
一の実施例では、前記脱離状態のプラズマは、前記脱離処理気体混合物、吸着層の組成、及び／又は基板組成に依存して、前記バイアス電力が前記処理気体混合物へ印加され、かつ、３００ｍｓ乃至５００ｍｓの間で存在し得るときに活性となり得る。対照的に、前記吸着状態のプラズマは、前記バイアス電力が前記処理気体混合物へ印加され得ないときに活性となって良い。しかし前記第１エネルギー源は、前記吸着処理気体混合物と前記脱離処理気体混合物へ印加されて良い。一の具体的実施例では、前記脱離期間は約４５０ｍｓであって良い。従って前記吸着状態のプラズマと前記脱離状態のプラズマの周期は約５５０ｍｓであって良い。これは、前記遷移中での気体のパージ及び／又は気体の交換を含んでも良いし、又は、含まなくても良い。他の実施例では、同一の基板についての周期は、前記基板のアスペクト比又は他の変数の変化に依存して増減して良い。
【００１２】
前記吸着／脱離法はまた、前記基板近傍（たとえば＜１０ｍｍ）の前記処理気体混合物内で生成され得る条件によって特徴付けられても良い。プラズマの生成は、電気的に中性な気体へ電磁エネルギーを印加することによって行われて良い。その結果、気体分子（たとえばイオン）から電子が解放され、前記気体分子（たとえばイオン）は、電子が失われた結果正に帯電する。前記イオンは、電子の合計数が正の電荷となる陽子の合計数とは等しくない分子又は原子として特徴付けられて良い。自由電子は、負の電荷を有するイオンとなるように中性分子又は原子に付着して良い。分子又は原子ラジカル（たとえば少なくとも１つの不対電子を有する分子又は原子）はまた、前記電磁エネルギーに曝露されるときに前記電気的に中性な気体から生成されても良い。一般的には、前記ラジカルは、中性であって良いし、正の電荷を有して良いし、又は負の電荷を有しても良く、かつ、前記希釈気体イオンに対して高い化学反応性を有して良い。しかし前記希釈気体は、原子気体であり、かつ、ラジカルを生成しなくても良く、あるいは、前記反応気体混合物によって生成される前記ラジカルに対して非常に少量のラジカルを生成しても良い。前記希釈気体は基本的にはイオンを供給する。前記ラジカルは、前記プラズマへ挿入される分子に由来し、かつ、どのように前記イオンが前記基板での表面反応を駆動するのかに影響を及ぼし得る。前記イオンとラジカルの結合と濃度は、どのようにプラズマが前記基板と相互作用するのかに影響を及ぼし得る。前記吸着状態のプラズマと前記脱離状態のプラズマは、前記基板上で所望の結果を実現するため、それぞれ異なるプラズマ特性（たとえばラジカル束、イオン束、イオンエネルギー等）を有して良い。
【００１３】
前記プラズマ特性は、ラジカル束とイオン束の比（ＲＩＲ）及び前記プラズマ内部で得られるイオンエネルギーを含むが、これらに限定されない。前記ＲＩＲは、前記イオンと前記ラジカルが前記プラズマ内で互いにどの程度活性であるのかを示す無次元パラメータであって良い。イオンエネルギーは、電子ボルト（ｅＶ）で測定された基板上に入射する平均イオンエネルギー又はイオンエネルギー分布関数として表されて良い。束及びイオンエネルギーは、以降の発明の詳細な説明で詳細に説明される。前記吸着状態のプラズマ（たとえば第１プラズマ）及び脱離状態のプラズマ（たとえば第２プラズマ）は互いに特徴付けられて良い。前記ＲＩＲとイオンエネルギー準位は、前記吸着層の生成と前記基板からの前記吸着層の除去を可能にするように、各異なる条件間で遷移して良い。前記吸着層は、前記吸着状態のプラズマが前記基板に曝露されるときに互いに反応する前記反応性ラジカルと基板原子及び／又は分子を含み得る組成物を有して良い。
【００１４】
一の実施例では、前記吸着状態のプラズマは、イオンエネルギー（たとえば第１イオンエネルギー）が２０ｅＶ未満の状態で少なくとも１００：１のＲＩＲを有して良い。しかし前記吸着プロセスは、所望の結果を実現するように標的である特定のイオンエネルギー領域に調節されて良い。一の具体的実施例では、１０ｅＶ未満であり得るイオンエネルギーによって実施されて良い。他の具体的実施例では、前記イオンエネルギーは５ｅＶ乃至２０ｅＶ又は５ｅＶ乃至１０ｅＶの範囲であって良い。前記吸着状態のプラズマは、以降で開示される様々なプロセス条件を用いることによって生成されて良い。しかしこれらのプロセス条件は、請求項の技術的範囲を限定するものと解されてはならず、限定ではない例示目的で与えられている。前記吸着状態のプラズマは、４０ｍＴｏｒｒ乃至５００ｍＴｏｒｒの圧力を利用して生成されて良い。前記処理気体混合物は、反応気体（たとえば酸素含有気体、窒素含有気体、水素含有気体、炭素含有気体、ハロゲン含有気体）、希釈気体（たとえばアルゴン、ヘリウム等）、又は両者の混合物を有して良い。前記イオンエネルギーに加えて、前記プロセス条件はまた、ＲＩＲを１００：１乃至１０００：１の範囲にすることを可能にするように最適化されても良い。
【００１５】
前記基板の選択的除去は、前記プラズマチャンバシステムが、前記吸着状態のプラズマとは異なるＲＩＲとイオンエネルギーを有し得る脱離状態のプラズマへ遷移するときに起こりえる。たとえば前記脱離状態のプラズマは、前記吸着状態のプラズマに対して、低いＲＩＲ（たとえばイオンは存在するがラジカルは（ほとんど）存在しない）及び高いイオンエネルギーを有して良い。一の具体的実施例では、前記脱離状態のプラズマのイオンエネルギーは２０ｅＶよりも大きい（たとえば〜４０ｅＶ）。しかし前記第２イオンエネルギーは、前記基板又は前記プラズマチャンバの損傷を防止するスパッタ閾値によって制限されて良い。たとえば一の具体的実施例では、前記脱離状態のプラズマのイオンエネルギーは７０ｅＶ未満であって良い。前記脱離状態のプラズマは、本願で開示されている様々なプロセス条件を用いて生成されて良い。しかしこれらのプロセス条件は、請求項の技術的範囲を限定するものと解されてはならず、限定ではない例示目的で与えられている。
【００１６】
一の実施例では、前記脱離状態のプラズマは、５ｍＴｏｒｒ乃至５００ｍＴｏｒｒの圧力を用いて生成されて良い。一の具体的実施例では、前記処理気体混合物は、（複数の種類の）希釈気体を含むが、反応気体を含まない。しかし他の実施例では、前記処理気体混合物は、前記吸着処理気体混合物に対する非常に少量の（複数の種類の）反応気体と（複数の種類の）希釈気体との結合を含んで良い。前記プロセス条件は、前記吸着状態のプラズマのＲＩＲよりも低い脱離状態のプラズマのＲＩＲを可能にするように最適化されて良い。前記脱離状態のプラズマは、前記処理気体混合物に依存して、前記基板の一部（たとえばハロゲン化された、酸化された等）の高い選択的除去を可能にし得るように前記基板表面を処理して良い。
【００１７】
前記プラズマチャンバが、前記基板の一部を除去する周期にわたって、非対称的に前記吸着状態のプラズマと前記脱離状態のプラズマを繰り返して良い。前記吸着処理期間と脱離処理期間は、プラズマ前パージ又はプラズマ後パージを含んで良いし、又は、含まなくても良い。たとえば吸着と脱離との間での遷移は、前記周期にわたって連続するプラズマを用いることによって実現されて良い。その結果、気体混合物、電力、圧力、又はこれらの結合は、前記プロセスチャンバ内部でプラズマを消滅させることなく変更され得る。他の実施例では、前記吸着状態のプラズマと前記脱離状態のプラズマとの間での遷移は、前記処理期間が同一又は同程度となるように対称的に行われて良い。
【００１８】
上述の実施例に加えて、高精度プラズマエッチングは、前記基板からの（複数の）単分子層の選択的除去を可能にする他の化学物質及びプロセス手順を有して良い。化学物質及びプロセス手順の選択は、前記基板表面の組成、表面の幾何学形状及び／若しくは表面下の組成、下地の幾何学形状及び／若しくはサイズ、所望のエッチング速度、所望のエッチング選択性、又はこれらの組み合わせの観点で変化して良い。しかし、さらなる実施例は依然として、単分子層をエッチングするため、吸着及び脱離の原理、並びに、前記基板から（複数の）これらの２つの状態間での遷移を含んで良い。
【００１９】
一の実施例では、吸着化学物質は、前記基板の一部を酸化させることが可能な酸素系プラズマを生成するのに用いられ得る、反応気体（酸素含有気体）と、場合によっては、希釈気体（たとえばアルゴン、ヘリウム、窒素）を含む気体混合物を有して良い。前記酸化は、数分子層又さらには単分子層、及び、前記基板の他の曝露された部分よりもはるかに速い酸化速度を有し得る前記基板の曝露された一部に限定されて良い。このようにして、前記吸着プロセス（たとえば酸化）は、前記基板にわたって、特定の特徴部位（たとえばトレンチ、フィン等）へ選択的に実施されて良い。前記吸着状態のプラズマは、１０００Ｗ乃至３０００Ｗの電磁エネルギー（たとえばマイクロ波）を、５ｍＴｏｒｒ乃至１０００ｍＴｏｒｒの圧力で維持され得る前記気体混合物へ印加することによって生成されて良い。吸着時間は１００ｍｓ乃至３０００ｍｓの範囲であって良い。
【００２０】
前記吸着プロセスに続いて、前記プラズマシステムは、前記吸着層を選択的に除去し得る脱離プロセスへ遷移して良い。前記脱離プロセスでは、前記吸着層のエッチング速度は、他の曝露された基板の膜及び／又は前記吸着層が生成された下地の基板の除去速度よりもはるかに速くなり得る。この実施例では、前記脱離状態のプラズマの気体混合物は、反応気体（たとえばフルオロカーボン含有気体、ＣｘＦｙＨｚ）と希釈気体（たとえばアルゴン、ヘリウム、窒素、又はこれらの混合物）を含んで良い。前記脱離状態のプラズマは、電磁エネルギーを前記気体混合物及び／又は基板へ印加することによって生成されて良い。たとえば、前記圧力が５ｍＴｏｒｒ乃至１０００ｍＴｏｒｒに維持される一方で、前記気体混合物は１０００Ｗ乃至３０００Ｗのマイクロ波エネルギー及び１０Ｗ乃至２００ＷのＲＦエネルギーに曝露されて良い。脱離時間は１００ｍｓ乃至３０００ｍｓの範囲であって良い。
【００２１】
他の実施例では、前記吸着プロセスと前記脱離プロセスとの間での遷移は、前記吸着プロセスと前記脱離プロセスの間に少なくとも２つの電源から電磁エネルギーを印加しながら、前記気体混合物の流れを交互に繰り返す段階を含んで良い。一の実施例では、前記の吸着状態の気体混合物は、前記基板を処理するため、酸素、フッ素、及び炭素原子を含んで良い。前記吸着状態のプラズマは、前記圧力を５ｍＴｏｒｒ乃至１０００ｍＴｏｒｒに維持しながら、電源電力とバイアス電力を前記気体混合物へ印加することによって生成されて良い。前記電源電力は、３００ＭＨｚよりも大きな駆動周波数で１０００Ｗ乃至３０００Ｗの範囲であって良い。前記バイアス電力は、３００ＭＨｚ未満駆動周波数で１０Ｗ乃至２００Ｗの範囲であって良い。
【００２２】
吸着から脱離への遷移は、前記吸着状態のプラズマを生成するのに用いられる１種類以上の前記反応気体を除去又は減少させるように前記気体混合物を変化させることによって可能となり得る。しかしこれは、前記電力と圧力が厳密に同一の大きさであることを要しない。しかし前記脱離プロセスは、前記プラズマチャンバへ前記電源電力と前記バイアス電力を印加する段階を含んで良い。一の実施例では、前記酸素含有気体は、前記プロセスチャンバから除去されるか、あるいは、前記プロセスチャンバ内で体積にして少なくとも５０％減少されて良い。他の実施例では、前記酸素含有気体は、当業者によって決定されるように、前記基板での脱離プロセスに実質的な影響を及ぼさないようなレベルにまで減少されて良い。一の実施例では、前記脱離状態のプラズマは、前記圧力を５ｍＴｏｒｒ乃至１０００ｍＴｏｒｒに維持しながら、電源電力とバイアス電力を前記気体混合物へ印加することによって生成されて良い。前記電源電力は、３００ＭＨｚよりも大きな駆動周波数で１０００Ｗ乃至３０００Ｗの範囲であって良い。前記バイアス電力は、３００ＭＨｚ未満駆動周波数で１０Ｗ乃至２００Ｗの範囲であって良い。
【００２３】
他の実施例では、前記吸着プロセスと前記脱離プロセスとの間での遷移は、後続の（複数の）単分子層除去プロセスの反復中、長期間にわたって変化して良い。前記変化は、前記プロセスチャンバの基板表面での幾何学形状及び／又は組成の変化を起こすために実行されて良い。たとえば前記基板は、連続的な処理でより深くなり得るトレンチを有して良い。前記連続的な処理は、前記トレンチを深くするプロセス変化を保証し得る。しかしプロセス変化だけが幾何学形状及び／又は組成の変化を満足行くものにするのではなく、たとえばプラズマチャンバの条件設定も満足行くものにし得るが、それに限定されるわけではない。
【００２４】
一の実施例では、前記プラズマチャンバは、プラズマプロセスチャンバ内において基板ホルダ上で基板を受けて良い。前記基板は、前記基板の一部を曝露するマスク層を有して良い。前記基板の一部には、前記マスク層へ影響を与えないか、あるいは最小の影響しか与えないプラズマ処理が施される。前記の曝露された一部は、第１プラズマ及び第２プラズマからの交互に行われるプラズマ処理に曝露されて良い。前記プラズマ処理は、本願で開示された方法又は実施例のいずれかによって行われて良い。しかし１つ以上のプロセス条件が、後続の前記プラズマ処理の反復中に調節されて良い。前記気体混合物、圧力、又はこれらの組み合わせは、これまでの同様の処理とは異なって良い。たとえば、後続の前記吸着プロセス又は脱離プロセスは、前記吸着プロセス又は前記脱離プロセスのこれまでの実施例と異なって良い。前記吸着について、一の具体的実施例では、前記バイアス電力は、前記基板への前記第２プラズマの少なくとも２回の曝露の間に前記第２プラズマのバイアス電力を増大させるように調節されて良い。
【００２５】
一の実施例では、前記バイアス電力は、後続の前記脱離プラズマプロセスの実施中に増大して良く、前記増大は前記脱離プロセスの各実施例で起こって良いが、前記脱離プロセスの各場合で起こる必要はない。一の具体的実施例では、前記バイアス電力は、前記第２プラズマの少なくとも２回の曝露のバイアス電力の０．５％乃至５％の差だけ増大して良い。他の実施例では、前記プラズマ処理への曝露時間もまた、後続の処理中に増大して良い。
【図面の簡単な説明】
【００２６】
【図１】少なくとも１つの実施例によって基板を処理するように、第１プラズマと第２プラズマとの間での遷移を可能にし得るプラズマチャンバの概略的断面図を示すプラズマ処理システムの代表的実施例を表す。
【図２】少なくとも１つの実施例によるイオンエネルギーと付着係数の観点からみた第１プラズマと第２プラズマとの間での遷移を表す図である。
【図３】第１プラズマとそれに対応する基板処理の代表的実施例及び第２プラズマとそれに対応する基板処理の代表的実施例を表している。
【図４】少なくとも１つの実施例によって基板を処理するために第１プラズマと第２プラズマを生成する方法のフローである。
【図５】少なくとも１つの実施例によって基板を処理するために第１プラズマと第２プラズマを生成する他の方法のフローである。
【図６】少なくとも１つの実施例による、基板の一部から単分子層を除去する連続的なプラズマ処理によって処理される基板の代表的実施例を表している。
【図７】１つ以上の実施例による、基板の一部から単分子層を除去するのに用いられ得る吸着状態のプラズマと脱離状態のプラズマとの間での遷移に係る実施例を表している。
【図８】１つ以上の実施例による、基板の一部から単分子層を除去するのに用いられ得る吸着状態のプラズマと脱離状態のプラズマとの間での遷移に係る実施例を表している。
【図９】１つ以上の実施例による、基板の一部から単分子層を除去するのに用いられ得る吸着状態のプラズマと脱離状態のプラズマとの間での遷移に係る実施例を表している。
【図１０】少なくとも１つの実施例による、第１プラズマと第２プラズマを生成して基板を処理する他の方法の流れ図である。
【図１１】少なくとも１つの実施例による、第１プラズマと第２プラズマを生成して基板を処理する他の方法の流れ図である。
【図１２】少なくとも１つの実施例による、第１プラズマと第２プラズマを生成して基板を処理する他の方法の流れ図である。
【発明を実施するための形態】
【００２７】
本願に組み込まれ、かつ、本願の一部を構成する添付図面は、本発明の実施例を表し、かつ、上述した本発明の一般的な説明と以降の詳細な説明と共に、本発明を説明する役割を果たす。さらに参照番号の最も左側の（複数の）数字は、参照番号が最初に現れる図面を特定する。
【００２８】
以降の詳細な説明は、本開示と整合する典型的実施例を表す添付図面を参照する。発明の詳細な説明で出てくる「一の実施例」、「実施例」、「典型的実施例」等は、記載された典型的実施例が、特定の特徴部位、構造、又は特性を有して良いが、どの実施例もその特定の特徴部位、構造、又は特性を必ず有しているわけではない。しかも係る語句は必ずしも同一の実施例を指称しない。さらに特定の特徴部位、構造、又は特性がある実施例に関連づけて説明されるとき、係る特徴部位、構造、又は特性を他の典型的実施例に関連づけることは、明記されているか否かにかかわらず、当業者の知識の範囲内である。
【００２９】
本願において用いられるように「基板」又は「マイクロエレクトロニクス基板」とは概して、本発明によって処理される対象物を指称する。マイクロエレクトロニクス基板は、素子−特に半導体又は他のエレクトロニクス素子−の材料部分又は構造を含んでよく、かつ、たとえば底部基板構造−たとえば半導体ウエハ又は底部基板構造上に存在する若しくはその構造を覆うように存在する層（たとえば薄膜）−であってよい。よって基板とは、任意の特定の底部構造、下地層若しくは上を覆う層、パターニングの有無に限定されず、むしろ係る層若しくは底部構造、並びに、係る層及び/若しくは底部構造の任意の組み合わせを含むと解される。以降の説明は、特定の種類の基板を参照するが、これは単なる例示であって限定ではない。
【００３０】
本願で説明される典型的実施例は、例示目的で供されるのであって、限定ではない。他の実施例も可能である。本開示の技術的範囲内で典型的実施例に修正がなされても良い。従って発明の詳細な説明は、本開示を限定することを意味しない。むしろ本開示の技術的範囲は、以降の「特許請求の範囲」及びそれらの均等型にのみ従って定義される。
【００３１】
以降の典型的実施例の詳細な説明は、本開示の一般的な性質を十分に明らかにする。よって他者は、当業者の知識を適用することによって、過度の実験を行うことなく、本開示の技術的範囲から逸脱することなく、様々な用途向けに、係る典型的実施例を容易に修正及び／又は適合させることができる。従ってそのような適合及び修正は、本願で与えられた教示及び案内に基づく典型的実施例の意味及び複数の均等型の範囲内であると意図される。本願での用語は説明目的であって限定目的ではないことに留意して欲しい。そのため本願明細書の用語は、本願での教示に照らして当業者によって解釈されなければならない。
【００３２】
図１は、プラズマチャンバ１０２内に生成され得るプラズマ（図示されていない）を用いて基板を処理するためのプラズマ処理システム１００を図示している。プラズマは、気体供給システム１０４によってプラズマチャンバ１０２へ供される処理気体混合物へ電磁エネルギー（たとえば電源１０６）を印加することによって生成されて良い。気体供給システム１０４は、気体混合物の分配に用いられるマスフローコントローラ、チェックバルブ等を有して良い。プラズマチャンバ１０２と流体をやり取りする真空システム１０８もまた、プラズマ生成中に大気圧未満の圧力を維持して良い。真空システム１０８は、プラズマチャンバ１０２内での圧力を制御する１つ以上のポンプと制御システム（たとえばＮ２バラストシステム、バタフライバルブシステム）を有して良い。
【００３３】
プラズマの生成は、電気的に中性な気体へ電磁エネルギーを印加することによって行われて良い。その結果、気体分子（たとえばイオン）から電子が解放され、前記気体分子（たとえばイオン）は、電子が失われた結果正に帯電する。前記イオンは、電子の合計数が正の電荷となる陽子の合計数とは等しくない分子又は原子として特徴付けられて良い（ＰＶ−「発明の概要」参照）。分子又は原子ラジカル（たとえば少なくとも１つの不対電子を有する分子又は原子）はまた、前記電磁エネルギーに曝露されるときに前記電気的に中性な気体から生成されても良い。一般的には、前記ラジカルは、中性であって良いし、正の電荷を有して良いし、又は負の電荷を有しても良く、かつ、前記希釈気体イオンに対して高い化学反応性を有して良い。時間が経過することで、気体混合物内での電磁エネルギー及び増大する電子の衝突によって、基板１１０を処理するのに用いられ得る前記気体混合物内での電離分子及びラジカルの密度が増大し得る。
【００３４】
プラズマチャンバシステム１００は、基板へ向かうある量のイオン及び／又はラジカルの流れに影響を及ぼすようにあるプロセス条件を変更して良い。その結果電離分子は、プラズマチャンバ１０２内での電位差による影響を受けることが可能となる。たとえばプラズマチャンバ１０２内での電位差は、電離分子（又は原子又はラジカル）を基板１１０へ向かわせて良い。イオンとラジカルは、基板と相互作用するか、又は、堆積若しくはパッシベーションによって基板を処理して良い。前記堆積若しくはパッシベーションは、前記基板表面を変化させるか、又は、前記堆積若しくはパッシベーション後に前記基板の一部を除去して良い。
【００３５】
図１では、プラズマチャンバ１０２の断面図１１２が、基板１１０近傍の領域へ電磁エネルギー（たとえばマイクロ波エネルギー、ＲＦエネルギー）と気体混合物（図示されていない）を送ることを可能にする電源集合体１１４の一の実施例を表している。気体混合物は、電源集合体１１４の中心を貫通する気体流路１２０に沿って基板ホルダ１２４近傍のプラズマ処理領域１１６へ導入されて良い。他の実施例では、気体混合物は、プラズマチャンバ１０２内の他の位置から導入されても良い。プラズマ処理領域１１６はまた、基板ホルダ１２４に設けられた基板を処理するのに用いられ得るプラズマを生成するため、第１エネルギー源１２２からエネルギーを受け取っても良い。電磁エネルギーは、ある方法で電源１０６から電源集合体１１４へ送られ得る電磁エネルギー（たとえば、３００ＭＨｚ未満でのマイクロ波エネルギー及び／又は３００ＭＨｚより大きい場合での高周波（ＲＦ）エネルギー）を含んで良い。図１の実施例では、電源集合体１１４は、気体流路の周りに設けられ得るマイクロ波導波路１２６及び誘電部材１２８を有して良い。他の実施例では、電源集合体１１４は、アンテナ板（図示されていない）を有して良い。前記アンテナ板は、基板１１０に対して実質的に平行であり得る面内において電源集合体１１４の周りを電流が流れることが可能となるように配置されて良い。電流は、低インピーダンス経路（たとえば金属層）に沿ってＲＦ電源（図示されていない）とグランド端子（図示されていない）との間を流れるように誘起されて良い。また電流は、プラズマ処理領域１１６内にプラズマを生成するのに用いられ得る低インピーダンス経路の周りに磁場（図示されていない）を生成し、あるいは、１１６上方の領域内にプラズマを生成し、かつ、プラズマをプラズマ処理領域１１６へ送って良い。
【００３６】
プラズマ処理領域１１６内の気体混合物はまた、基板ホルダ１２４にバイアス印加可能な第２エネルギー源（たとえばバイアス電源１３０）から電磁エネルギーを受け、かつ、基板１１０近傍のプラズマ特性に影響を及ぼして良い。以降の説明で詳述するように、一部の実施例では、バイアス電源１３０と第１電源１２２は、プラズマ処理領域１１６内でプラズマを生成するため協働して又は単独で動作して良い。一の実施例では、バイアス電源１３０は、１０ＭＨｚ以上で５０Ｗよりも大きな電力を供することのできるＲＦ電源であって良い。基板ホルダ１２４と電源集合体１１４のバイアス印加は、プラズマ処理領域１１６内でのプラズマの生成を可能にするプロセスシーケンスを機能させることが可能な制御装置１３２を用いることによって実施されて良い。
【００３７】
制御装置１３２は、コンピュータ可読命令を実行するコンピュータプロセッサ１３４とメモリ１３６を用いて良い。前記コンピュータ可読命令は、プラズマ処理システム１００の構成要素（たとえば電源１０６、気体供給１０４等）を制御するため、電気通信ネットワーク１３８を介して供されて良い。１つ以上のコンピュータプロセッサ１３４は、限定ではなく、中央処理演算装置（ＣＰＵ）、デジタル信号処理装置（ＤＳＰ）、単純命令セットコンピュータ（ＲＩＳＣ）、複雑命令セットコンピュータ（ＣＩＳＣ）、マイクロプロセッサ、マイクロ制御装置、フィールドプログラマブルゲートアレイ（ＦＰＧＡ）、又はこれらの任意の組み合わせを含んで良い。メモリ１３６は１つ以上のコンピュータ可読記憶媒体（ＣＲＳＭ）を含んで良い。一部の実施例では、１つ以上のメモリは、非一時的媒体−たとえばランダムアクセスメモリ（ＲＡＭ）フラッシュＲＡＭ，固体媒体等−を含んで良い。広義には、制御装置１３２は、プラズマの生成又は基板１１０に曝露され得る各異なる種類のプラズマ間での遷移を可能にする処理イベントの順序を制御して良い。
【００３８】
プラズマ処理システム１００は、複数の異なる種類のプラズマを実装するのに用いられて良い。前記複数の異なる種類のプラズマは、基板をエッチングしてパターンを生成し、あるいは、基板の一部を除去することでエレクトロニクスデバイスを製造するのに用いられて良い。エレクトロニクスデバイスのサイズと複雑さが増大することで、基板１１０上の構造を損傷させない高い選択性を有するエッチングプロセスの必要性が増大してきた。高選択性への一の方法は、前駆体堆積工程（たとえば堆積、酸化、パッシベーション等）と前駆体層の除去を交互に行い得る自己制限層エッチングプロセスを有して良い。一の具体的実施例では、初期の表面処理は、原子又は分子が基板１１０の表面へ入り込むように浸透又は拡散する吸着プロセスであって良い。吸着プロセスは、基板１１０の表面の１層以上の単分子層を変化させて良い。それにより（複数の）分子層は、後続のプロセス中、基板１１０からより容易に除去又はエッチングより取り除かれる。一の典型的後続プロセスは、下地の基板１１０を損傷させることなく（複数の）単分子層を除去するのに用いられ得る脱離プロセスを含んで良い。吸着と脱離との結合又は吸着と脱離との間での遷移によって、制御されながら又は高い選択性を有しながら基板１１０の（複数の）単分子層の除去が可能となり得る。プラズマ処理システム１００は、プラズマチャンバ１０２内で吸着と脱離とを繰り返す１つ以上の方法を実施して良い。
【００３９】
図２は、イオンエネルギー、ラジカルの（複数の）付着係数、エッチングイールド（Ｙ）、及び／又は、イオン束をラジカル束で除したもの（Γｉ／Γｒ）として表されるラジカル束とイオン束との比（ＲＩＲ）の文脈の範囲内での、吸着プロセス（たとえば第１プラズマ）と脱離プロセス（たとえば第２プラズマ）との間での遷移を表す図２００である。図２は、例示目的を意図したものであり、単分子層エッチング用にすべてを含むモデルを供することを意図していない。むしろ図２は、プラズマ生成に関する１つ以上の変数を制御することによって可能となり得る吸着と脱離との間での遷移を示すことを意図した一の実施例であり、かつ、単分子層エッチングを実現するための、プラズマの成分（ラジカル、イオン等）と、どのようにしてそれらが基板の処理を変化させるのかとの関係の一例である。イオンエネルギーは、プラズマ処理領域１１６内でのイオンのエネルギー又は密度の大きさを示し、かつ、基板１１０近傍又はプラズマ処理領域１１６内で既知の方法を用いて測定されて良い。ｓは、基板１１０にとどまる、あるいは、吸着し得るプラズマ内の原子又は分子の確率を示して良い。ｓは、イオンエネルギー、ラジカル束、表面温度、圧力、及び表面条件の関数であって良い。ｓはまた、基板１１０の単位面積あたりでの衝突頻度に対する基板１１０の単位面積あたりでの吸着の比によって定量化されても良い。一の実施例では、ｓは、最高の吸着率を１として１以下の数（たとえば０．００１〜１）で表されて良い。たとえば、ＲＩＲが非常に大きく、かつ、基板１１０の表面がきれい（たとえば清浄、低表面粗さ）な場合、ｓは１付近であって良い。一の実施例では、ｓは、下地の基板１１０に対する表面のエッチング選択性を変化させ得る吸着プロセス中０．１〜０．５の範囲であって良い。従ってｓは、脱離プロセス中、低くて良いが、低い必要はない。Ｙは、基板１１０と衝突するイオンあたりの除去される原子数を近似することによってプラズマエッチング速度の効率の指標となり得て、かつ、イオンエネルギーと基板１１０から除去されている層に依存して１未満から１０のオーダーの範囲をとって良い。
【００４０】
比Ｓ／Ｙは、イオンとラジカルが基板１１０に吸着するか又は基板１１０の一部を除去するのかの確率を示し得る。大きなＳ／Ｙの値は吸着がより起こりやすいことを示す一方、小さなＳ／Ｙの値は脱離がより起こりやすいことを示し得る。一部の実施例では、ｓが大きいとき（たとえば吸着のとき）には、Ｙは相対的に小さくなりやすくなって良い。このことは、プラズマ処理領域１１６内ではラジカル束がイオン束よりも大きくなり得ることを示唆する。従って、基板１１０の堆積又はパッシベーションは、エッチング選択性の観点で、基板１１０の表面を下地の基板１１０とは異なるものにするように少なくとも変化させるように起こりえる。対照的に、一の実施例では、ｓが相対的に小さいとき（たとえば脱離のとき）には、Ｙは相対的に大きくなりやすくなって良い。このことは、プラズマ処理領域１１６内ではイオン束がラジカル束よりも大きくなり得ることを示唆する。しかし他の実施例では、ｓは一部の脱離プロセス中相対的に高くて（たとえば＞０．５）良い。しかし脱離効果は、Ｙが脱離プロセス中非常に高いために抑制され得る。まとめると、脱離速度は、この実施例で起こりえる吸着（たとえば低ラジカル束）よりもはるかに大きくなり得る。
【００４１】
図２では、遷移線２０２は、どこでプラズマが吸着特性と脱離特性との間で遷移するのかを示している。この実施例では、遷移線は、基板１１０の表面近傍でのイオンエネルギー、ラジカルの（複数の）付着係数、エッチングイールド（Ｙ）すなわちイオンあたりに除去される原子、及びＲＩＲの関数として表されて良いが、これらに限定されるわけではない。たとえば遷移線２０２の左側では、プラズマは吸着特性を示しやすい。その結果堆積又はパッシベーションが基板１１０の表面で起こりえる。遷移線２０２の右側では、プラズマは基板１１０の一部を除去しやすい。従ってイオンエネルギーは、吸着と脱離との間での遷移と各処理領域内でのプラズマの性能を制御する重要因子となり得る。しかしイオンエネルギーは、吸着状態のプラズマと脱離状態のプラズマとの間での遷移を制御する単独の決定因子ではない。
【００４２】
一の実施例では、プラズマは、互いに相互作用して基板１１０とも相互作用するラジカルとイオンとの組み合わせとして表されて良い。前記ラジカルとイオンとの組み合わせは、基板１１０の表面上で所望の結果を実現するように制御され得る。たとえば吸着プロセスは、下地である基板１１０に対する表面のエッチング選択性を増大させる、その表面上に追加又は生成されることを特徴として良い。吸着プロセス中、ラジカルによる表面被覆は、活性を有するイオンによる原子の除去よりも重要となり得る。従って、図２の遷移線２０２によって示唆されているように、Ｓ／Ｙの値が高い間、低いイオンエネルギーが望ましいと考えられる。大きなラジカル束（Γｒ）は、短時間で表面をより被覆するのに望ましいので、ＲＩＲ（Γｒ／Γｉ）は相対的に高くても良い。従って吸着領域の範囲内では、Ｓ／ＹはＲＩＲより大きくて良い。しかし脱離プロセス中、表面層の除去は、表面被覆よりも優先されて良い。従って、高いイオンエネルギーを有することで、活性を有するイオンに基板１１０から表面原子を除去させやすくすることは望ましいと考えられる。イオンエネルギーが増大することで、イオン束（Γｉ）、ＲＩＲ、及びＹは増大し得る。このことは、基板１１０からの１層以上の単分子層の除去がより起こりやすいことを示唆する。図２に図示されているように、吸着領域（たとえば遷移線２０２の左側）は、Ｓ／ＹがＲＩＲよりも大きいときに存在しやすい。同様に、遷移線２０２の右側の脱離領域は、Ｓ／ＹがＲＩＲよりも小さいときに存在しやすい。しかし脱離領域では、処理気体混合物に依存してラジカルが（ほとんど）存在しなくて良い。それにもかかわらず、脱離中でのイオン束は、吸着中でのイオン束よりも大きくて良い。様々な方法で２つの領域間で遷移することが可能である。
【００４３】
図２は、イオンとＳ／Ｙに関する複数の考えられ得る実施例、及び、如何にして吸着と脱離との間での遷移が可能となるのか、及び、吸着と脱離との間でのプロセスマージンの大きい場所又は小さい場所を表している。たとえばイオンエネルギーがＥ０である２０４の実施例では、イオンエネルギーは、（Ｓ／Ｙ）０である２１０から（Ｓ／Ｙ）３である２１４までの広範な変化にわたって吸着領域を維持する広い吸着領域を可能にするのに十分な程度低くて良い。イオンエネルギーＥ１である２０６がイオンエネルギーＥ２である２０８へ向かって増大することで、Ｓ／Ｙプロセスマージンは狭くなる。その結果脱離は、少なくとも部分的にはＳ／ＹとＲＩＲに依存して起こりやすくなり得る。たとえば（Ｓ／Ｙ）０である２１０では、イオンエネルギーがＥ１である２０６で、かつ、ＲＩＲが（Ｓ／Ｙ）０である２１０よりも小さくなり得るときに、吸着領域が支配的となり得る。しかしＲＩＲが（Ｓ／Ｙ）０である２１０よりも大きくなるように増大する場合、脱離がより起こりやすくなり、かつ、イオンエネルギーＥ１である２０６で脱離領域内に存在することが可能となる。しかし他の実施例では、プロセスが遷移線２０２に近づくとき、吸着と脱離との区別はより難しくなり、あるいは、吸着速度又は脱離速度は低くなり得る。
【００４４】
イオンエネルギーＥ２である２０８で作用する場合、Ｓ／Ｙが略（Ｓ／Ｙ）０である２１０であるときに、プラズマが一貫して吸着領域又は脱離領域内で厳密に作用すること、又は、吸着／脱離速度が遷移線２０２付近で遅くなり得ることを保証することはより難しくなる恐れがある。この条件下で作用することは望ましくないが、可能である。なぜなら吸着／脱離プロセスマージンの差異は、他のとり得る条件でよりもはるかに小さいからである。同様のプロセスマージンの問題は、イオンエネルギーＥ１である２０６でかつ（Ｓ／Ｙ）１である２１２の実施例でも存在し得る。理想的には、好適プロセスは、２つの前述した実施例で示した以外にも、遷移線２０２からさらに離れて良い。たとえば（Ｓ／Ｙ）１である２１２の実施例では、吸着プロセスマージンは、イオンエネルギーＥ１である２０６をイオンエネルギーＥ０である２０４へ低下させることによって又はＲＩＲを減少させることによって増大し得る。対照的に、脱離プロセスマージンは、イオンエネルギーＥ１である２０６をイオンエネルギーＥ２である２０８へ上昇させることによって又はＲＩＲを増大させることによって増大し得る。
【００４５】
イオンエネルギーとＳ／Ｙが、プラズマが吸着領域で作用しているのか、あるいは、脱離領域で作用しているのかに関する強力な指標を供するが、これらは、単独で決定的ではなく、図３で説明する他の変数（たとえばＲＩＲ）の影響を受け得る。
【００４６】
図３は、基板１１０を処理する第１プラズマ（たとえば吸着）及び基板１１０を処理する第２プラズマ（たとえば脱離）の代表的実施例３００を表す図である。プラズマ処理システム１００は、双頭矢印３０８によって表されているように、第１プラズマ３０２と第２プラズマ３０４との間での１つ以上の遷移方法を実装して良い。第１プラズマ３０２は、基板１１０上に吸着層３０６を生成するのに用いられて良い。第２プラズマ３０４は、吸着層３０６を除去し、かつ、下地である基板１１０を曝露するのに用いられて良い。図２で表されたパラメータに加えて、ＲＩＲ又はイオン束は、どの種類のプラズマが基板１１０に曝露されるのかを決定する上で重要な役割を果たし得る。イオンとラジカルの生成は、束に関する簡単な説明と共に以降で簡単に説明する。
【００４７】
図１の説明にあるように、プラズマ処理システム１００は、プラズマチャンバ１０２内で気体混合物に電磁エネルギーを印加して、第１プラズマ３０２及び／又は第２プラズマ３０４を生成して良い。気体混合物は、反応気体、希釈気体、又はこれらの混合気体を含んで良い。仮に存在すれば、反応気体は、イオンとラジカルを生成しようとしやすく、かつ、（複数の種類の）希釈気体はラジカルよりもイオンを生成しようとしやすい。しかし気体混合物がいずれの種類の気体を含むとき、各異なる種類の気体からのイオンとラジカルの混合物が存在して良い。プラズマ処理システム１００は、様々なプロセス条件を最適化することで、基板１１０の処理に用いられるイオン及び／又はラジカルを制御して良い。
【００４８】
吸着の実施例では、気体混合物は、反応気体又は（複数の種類の）反応気体と（複数の種類の）希釈気体の混合物を含んで良い。反応気体は、酸素含有気体、窒素含有気体、水素含有気体、炭素含有気体、ハロゲン含有気体、又はこれらの混合気体を含んで良いが、これらに限定されない。（複数の種類の）希釈気体（たとえばアルゴン、ヘリウム等）は、プラズマチャンバ１０２内で気体又は材料に対して化学的に不活性な種を含んで良い。気体混合物は、吸着の実施例では、体積にして（複数の種類の）反応気体の１００％〜１０％まで変化して良い。一の具体的実施例では、気体混合物は、体積にして８０％〜１００％の反応気体（たとえばＣｌ２）を含んで良い。残りは１種類以上の希釈気体である。
【００４９】
一の吸着の実施例では、第１プラズマ３０２は、気体混合物を電磁エネルギーへ曝露することによって生成され得る吸着状態のラジカル３１０と吸着状態のイオン３１２を含んで良い。組み合わせられた気体混合物の実施例では、第１プラズマ３０２は希釈イオン３１４をも含んで良い。理想的には、基板１１０へ向かうラジカル束が、イオン束を支配し、かつ、基板１１０上での吸着層の生成を可能にする。一の実施例では、吸着層３０６は、気体混合物と基板１１０（たとえばＳｉ）からの原子及び／又は分子の組成物を有して良い。吸着層３０６の生成に続いて、プラズマ処理システム１００は、第２プラズマ３０４へ遷移することで、吸着層３０６をエッチングし、かつ、下地である基板１１０を曝露して良い。脱離の実施例では、第２プラズマ３０４は、脱離状態のイオン３１６を有して良く、かつ、脱離状態のラジカル３１４を有しても良いし、あるいは有しなくても良い。たとえば気体混合物が（複数の種類の）希釈気体しか含まないとき、脱離状態のラジカル３１４は存在しなくて良い。しかし反応気体が脱離プロセス中にプラズマチャンバ１０２内に存在するとき、ラジカルは存在して良い。しかしイオン束はラジカル束よりはるかに大きくて良い。従って脱離プロセスは、基板１１０での脱離効果を支配し得る。
【００５０】
いずれのプラズマもイオン及び／又はラジカルを含むが、これらは、吸着に用いられるのか又は脱離に用いられるのかに依存して異なる目的に用いられて良い。たとえば吸着中でのイオンエネルギーは２０ｅＶ未満である一方、脱離中でのイオンエネルギーは２０ｅＶより大きくて良い。さらに、脱離プラズマが（存在するとしても）わずかしかラジカル又はラジカル束（Γｒ）を有しないため、吸着ＲＩＲは脱離ＲＩＲより大きく良い（ＰＶ−ここでは、計算機においてイオン束に対するラジカル束の比、ラジカルが用いられると考える）。たとえば非常に小さなラジカル束を有するか、あるいは、ほぼラジカル束が存在しないことで、脱離ＲＩＲは非常に小さくなる（ＰＶ−ｙｅｓ）。ＲＩＲ値は、基板１１０の中心付近でかつ基板１１０の表面近傍の束表面領域（たとえば吸着表面領域３１８又は脱離表面領域３２０）を用いることによって、基板１１０近傍のプラズマ処理領域１１６内で測定されて良い。
【００５１】
広義には、束は、束表面を通り抜けるように移動する際のイオン又はラジカルの流量とみなされて良く、かつ、単位面積あたりの物理的特性の単位を有して良い。イオン束（Γｉ）及びラジカル束（Γｒ）は、原子／ｃｍ２の単位を有し、かつ、吸着表面積３１８若しくは脱離表面積３２０を交差するイオン又はラジカルの量又は濃度を表し、かつ、基板１１０と衝突して良い。イオンとラジカルは、プラズマと基板との間での電位差、エネルギー、電荷、プロセス圧力、プロセス温度、又はこれらの任意の組み合わせに依存して、基板１１０に付着して良い。
【００５２】
一の吸着の実施例では、処理気体混合物は反応気体（たとえばハロゲン、酸素）と希釈気体（たとえばアルゴン、ヘリウム、又はこれらの混合物）を含んで良い。吸着状態のラジカル３１０は、堆積又はパッシベーションによって吸着層３０６を生成するのに用いられて良い。理想的には、Γｒは、吸着速度を基板１１０での脱離速度よりも速くすることを可能にするように、Γｉよりも大きくて良い。ラジカル束（Γｒ）及び／又はイオン束（Γｉ）は、Γｒ又はΓｉを測定する任意の既知の方法を用いることによって、基板１１０の中心（付近）及び基板１１０の表面近傍（たとえば＜１０ｍｍ）で測定されて良い。既知の方法の例には、吸収プローブ、ラングミュアプローブ、ヘアピンプローブ、逆電位型エネルギー分析器、発光分光、光量測定法、質量分析、又はこれらの任意の組み合わせが含まれて良いが、これらに限定されるわけではない。
【００５３】
第１プラズマ３０２が、吸着状態のイオン３１２のイオンエネルギーを抑制して、吸着したラジカル３１０の吸着に対する基板１１０のエッチングを抑制するように生成されて良い。まとめると、吸着層３０６は、基板１１０の表面で吸着速度が脱離速度よりも大きいときに生成され得る。吸着層３０６は、吸着したラジカル３１０のエネルギーが、気体混合物の成分とシリコン基板１１０の公称結合エンタルピーよりも小さいときに生成され得る。一の具体的実施例では、基板１１０は、吸着層３０６を生成するための開始材料を供し得るバルクのシリコン基板１１０を含んで良い。第１プラズマ３０２は、既知の堆積、パッシベーション、又は酸化法によってシリコン表面と反応し得る吸着したラジカル３１０を生成するハロゲン含有気体（たとえばＣｌｘ、Ｆｘ）又は酸素含有気体（たとえばＯｘ）を含んで良い。
【００５４】
他の具体的実施例では、基板１１０は、基板１１０へ突出する又は基板１１０から突出する側壁又はトレンチを含み得るパターニングされた構造（図示されていない）を有して良い。吸着プロセスは、トレンチ内で吸着層を選択的に生成するように調節されて良い。その際、トレンチ底部での吸着速度は側壁での吸着速度よりも速くて良い。吸着層３０６はまた、第１プラズマ３０２を用いることによって、基板１１０から突出する又は基板１１０へ突出する構造上にコンフォーマルに生成されても良い。吸着法は、図４と図５の説明でより詳細に論じられる。
【００５５】
吸着プロセスに続いて、プラズマ処理システム１００は、図２で説明したように脱離プロセスへ遷移して良い。脱離プロセスは、基板１１０から吸着層３０６を選択的に除去して良い。脱離状態のイオン３１６は、基板１１０から脱離した分子／原子３２２を除去することによって生成された脱離領域３２４を生成するように、吸着層を除去又はエッチングするのに用いられて良い。換言すると、吸着層３０６は、下地である基板１１０の表面を曝露するように除去されて良い。理想的には、Γｉは、基板１１０での脱離速度を吸着速度よりも速くすることを可能にするようにΓｒよりも大きくて良い。ラジカル束（Γｒ）及び／又はイオン束（Γｉ）は、Γｒ又はΓｉを測定する任意の既知の方法を用いることによって、基板１１０の中心（付近）及び基板１１０の表面近傍（たとえば＜１０ｍｍ）で測定されて良い。
【００５６】
脱離の実施例では、基板１１０での脱離速度が吸着速度よりも速くなるように、第２プラズマ３０４は、Γｒよりも大きなΓｉを有して良いし、あるいは、ラジカルを有しなくても良い。大きなΓｉを得ることには、プロセス条件−気体混合物、電磁エネルギー、圧力、又はこれらの組み合わせ−の変化が含まれて良いが、これに限定されるわけではない。しかしすべてのプロセス条件が、吸着と脱離との間で遷移を起こすために変化する必要はない。脱離法は、図４と図５の説明でより詳細に論じられる。
【００５７】
図４と図５は、吸着状態のプラズマ（たとえば第１プラズマ３０２）と脱離状態のプラズマ（たとえば第２プラズマ３０４）とを交互に繰り返すプラズマ処理システム１００を用いた反復プロセスを用いることによって基板１１０の表面層を除去する方法を表している。プラズマ処理システム１００は、ラジカル束（Γｒ）及び／又はイオン束（Γｉ）を制御して、吸着と脱離との間で遷移して良い。
【００５８】
一の方法では、吸着プロセスは、相対的に高い圧力と高い電源電力（電源集合体１１４への電力）との組み合わせによって可能となり得る。前記組み合わせは、気体混合物からラジカルを生成し、かつ、大きなΓｒを生じさせて良い。大きなΓｒが生じる結果、基板１１０の表面被覆（たとえば吸着層３０６）が大きくなる。これらのプロセス条件はまた、第１プラズマ３０２の電位を減少させて、イオンエネルギー又はΓｉを抑制することで、吸着層３０６の生成中での脱離を防止しても良い。高い圧力／電力の組み合わせは、イオンエネルギーを低いまま保つことを可能にするが、吸着プロセスに、脱離効果を支配させるのに十分なラジカルを生成し得る。興味深いことに、すべての高電力法は、イオンエネルギーの制御に関して等しくなくて良い。ＲＦ電力ではなく電源集合体１１４でマイクロ波電力を用いることは有利となり得る。マイクロ波源からの電子の生成の効率は、ＲＦ電源を用いるときよりもはるかに良いことがわかった。たとえば、マイクロ波源又は表面波源からの電子の生成の効率は、高周波数で非常に良いので、マイクロ波の実施例では、プラズマ中での粒子の均衡（生成源と損失）によって決定される平均電子エネルギーは、はるかに低い周波数（たとえば＜３００ＭＨｚ）で駆動するＲＦ電源よりもはるかに小さい。マイクロ波の実施例は、同一又は同程度の電力が印加されるＲＦ電源（たとえばＩＣＰ、ＣＣＰ法）と比較すると、基板１１０へのより大きな電流を可能にし得る。前記より大きな電流は、基板でのピーク間電圧（Ｖｐｐ）を小さくすることを可能にする。大きなイオン電流が大きいのと同時に非常に低い電子温度（Ｔｅ）と非常に低いＶｐｐにアクセスすることが可能であることは、固有の空間高精度エッチングプロセスを実現するマイクロ波源の固有の特性である。このようにして、マイクロ波源は、ＲＦ電源によって印加される電力が同一であっても低いイオンエネルギーを可能にし得る。従って、各異なる種類の電源（たとえばマイクロ又はＲＦ）間での同程度の電力プロファイルは、駆動周波数、イオンエネルギー、又はこれらの組み合わせの差異毎に識別可能であって良い。
【００５９】
吸着プロセスは、ハロゲン原子／分子又は酸素分子／原子によって表面を飽和させることによって基板１１０上に薄い（単分子層の）吸着層３０６を生成して良い。吸着層３０６は、吸着層３０６が基板１１０よりも高いエッチング速度を有し得るように、下地である基板１１０と比較して相対的に高いエッチング選択性を有して良い。従って脱離プロセスは、下地である基板１１０への損傷を抑制しながら吸着層を除去するのに用いられて良い。脱離プロセスは、脱離したイオン３１６が吸着層３０６のエッチングを行うことを可能にするように、第１プラズマ３０２のイオンエネルギー、圧力、気体混合物、又はこれらの組み合わせを遷移させることを含んで良い。
【００６０】
一の方法では、脱離プロセスは、気体混合物へ電磁エネルギーを印加することで第２プラズマ３０４を生成する各異なる電源の組み合わせによって可能となり得る。さらなる電磁エネルギーは、第１プラズマ３０２のイオンエネルギーよりも第２プラズマ３０４において大きなイオンエネルギーを生成して良い。イオンエネルギーの変化は、複数の電源の組み合わせに限られない。脱離プロセスはまた、気体混合物を変化させて基板１１０上でのエッチング速度又はエッチングプロファイルを調節することによって最適化されても良い。一般的には、脱離プロセスは、吸着プロセスよりもはるかに大きなΓｉを有して良く、かつ、脱離気体混合物が反応気体を含まないときには非常に低いΓｒ又はほぼゼロのΓｒを有して良い。脱離プロセスは、吸着層３０６と基板１１０との間でのエッチング選択性に起因して自己制限的であって良い。吸着層３０６の除去に続いて、第２プラズマ３０４（たとえば脱離）は、第１プラズマ３０２へ戻るように遷移（たとえば吸着）し、かつ、再度吸着と脱離のプロセスを開始する。このような吸着と脱離との間での遷移は、基板１１０の所望の部分が除去されるまで繰り返されて良い。図４へ移ると、方法４００は、上述の吸着／脱離プロセスの一実施例を表す。
【００６１】
ブロック４０２では、プラズマ処理チャンバ１０２は、マイクロエレクトロニクス基板を受け取って良い。前記マイクロエレクトロニクス基板は、マイクロエレクトロニクスデバイスを生成するのに用いられ得るパターニングされた特徴部位又は素子を有し得る任意の種類の半導体基板を含んで良い。半導体基板は、任意の単元素基板（たとえばＳｉ）、シリコン・オン・インシュレータ基板、ＩＩＩ−Ｖ基板、又はエピタキシャル成長したシリコン基板を含んで良いが、これらに限定されるわけではない。基板１１０は、基板ホルダ１２４上に設けられ、かつ、電源集合体１１４と基板ホルダ１２４内に設けられ得るバイアス電極との間に備えられて良い。
【００６２】
ブロック４０４では、気体供給システム１０４が、プラズマチャンバ１０２へ気体混合物を供して良い。気体混合物は、基板１１０上に吸着層３０６を生成するのに用いられ得る、反応気体、（複数の修理の）希釈気体、又はこれらの混合気体のうちの少なくとも１つを含んで良い。反応気体は、基板１１０又は基板１１０上の膜と反応する少なくとも１つの元素を含んで良い。一の実施例では、反応気体は、ハロゲン含有気体（たとえばＣｌｘ、Ｆｘ）又は酸素含有気体（たとえばＯｘ）を含んで良いが、これらに限定されるわけではない。他の実施例では、気体混合物はまた、反応気体と共に（複数の種類の）希釈気体をも含んで良い。希釈気体は、アルゴン、ヘリウム、又はこれらの混合物を含んで良いが、これらに限定されるわけではない。一の具体的実施例では、気体供給システム１０４は、体積にして８０％〜１００％の反応気体（たとえばＣｌ２）を含む気体混合物を供して良い。残りは（複数の種類の）希釈気体である。一の具体的実施例では、吸着プロセスの気体混合物は８０％〜１００％の（複数の種類の）反応気体を含んで良い。残りは（複数の種類の）希釈気体である。
【００６３】
ブロック４０６では、真空システム１０８は、プラズマ処理チャンバ１０２内で４０ｍＴｏｒｒ以上のプロセス圧力を実現することで、初期吸着プロセスを促進するのに用いられて良い。制御装置１３２は、プロセスチャンバ１０２内で相対的に安定した圧力を得るように気体の流れとポンピング速度を最適化して良い。圧力は、基板１１０の組成と吸着層３０６の所望の吸着速度に依存して最大５００ｍＴｏｒｒの範囲をとって良い。またチャンバ圧力は、吸着プロセスと脱離プロセスとの間での遷移に基づいて変化して良い。遷移については以降で詳述する。しかし一の具体的実施例では、プロセスチャンバ１０２の圧力は、初期吸着プロセス中約８０ｍＴｏｒｒであって良い。しかし圧力は、吸着プロセス中、所望の束の条件とイオンエネルギーに依存して変化して良い。一の実施例では、プロセス圧力はまた、吸着層３０６による基板１１０の表面被覆を調節するために変化しても良い。たとえば初期圧力は、吸着プロセス中、少なくとも４０ｍＴｏｒｒであって良く、かつ、より高い圧力へ遷移して良い。吸着プロセスはまた、圧力と気体混合物へ印加されたエネルギーとの組み合わせを利用して、基板１１０へ向かうラジカル束を増大させる工程を含んで良い。
【００６４】
ブロック４０８では、プロセスチャンバ１０２内に設けられた電源集合体１１４を介して気体混合物へマイクロ波電力を印加して良い。マイクロ波電力は、５００Ｗ〜１００００Ｗの範囲であり、かつ、３００ＭＨｚ〜１０ＧＨｚの駆動周波数を有して良い。一の具体的実施例では、駆動周波数は、５００Ｗ〜１００００Ｗの任意の電力設定で約２．４５ＧＨｚであって良い。理想的には、印加されたマイクロ波電力と駆動周波数によって第１プラズマ３０２の生成が可能とならなければならない。その際、プラズマ処理領域１１６内のイオンエネルギーは２０ｅＶ未満で良く、かつ、基板１１０近傍又は少なくともプラズマ処理領域１１６内ではラジカル束はイオン束よりも大きい。
【００６５】
他の実施例では、印加されたマイクロ波電力は、１ＧＨｚ〜１０ＧＨｚの駆動周波数で５００Ｗ〜３０００Ｗの範囲をとって良い。本願で説明する気体混合物及び圧力と組み合わせられた印加電力の実施例は、第１プラズマ３０２内でのイオンエネルギーを２０ｅＶにすることを可能にし得る。他の実施例では、電力及び駆動周波数は、目標に固有なイオンエネルギー−たとえば＜５ｅＶ、＜１０ｅＶ、又は５ｅＶ〜１５ｅＶ−に最適化されて良い。一の具体的実施例では、マイクロ波電力は、約２．４５ＧＨｚの駆動周波数で約２０００Ｗであって良い。
【００６６】
第１プラズマ３０２のプロセス時間は、プロセス条件、基板１１０の組成、及び吸着層３０６の組成に依存して変化して良い。吸着時間は１００ｍｓ〜３０００ｍｓの間で変化して良い。理想的には、１０００ｍｓの短い吸着時間が、プロセスサイクル時間の観点にとっては望ましいと考えられる。しかしほとんどの実施例では、４０ｍＴｏｒｒの閾値は、５００ｍｓ未満のプロセス時間を含んで良い。
【００６７】
吸着層３０６の生成は、基板１１０の組成物（たとえばＳｉ）及び反応気体（たとえばＣｌｘ、Ｆｘ、Ｏｘ）の観点から見て、吸着層３０６と基板１１０との間でのエッチング選択性が、後続の脱離プロセス中に基板１１０への損傷又は変化を最小しながら吸着層３０６を除去するように影響し得るような、如何なる分子又は原子組成物を含んで良い。脱離プロセスへの遷移は様々な方法で行われて良い。しかし複数の脱離の実施例からなる一の組は、気体混合物へのさらなる電磁エネルギーの印加を有して良い。
【００６８】
ブロック４１０では、バイアス電源１３０は、プラズマ処理領域１１６又は基板１１０近傍で気体混合物へバイアス電力を印加して良い。バイアス電力は、図３に図示されているように、吸着層３０６を除去し得る脱離プロセスへプラズマチャンバ１０２を遷移させて良い。しかし他の実施例では、気体混合物、圧力、電源の電力（たとえば第１電源１２２）、又はこれらの任意の組み合わせは、気体混合物へバイアス電力を印加する前、間、又は後に変化して良い（ブロック４１２の説明でのさらなる詳細を参照のこと）。たとえば高い圧力（たとえば＞１５０ｍＴｏｒｒ）及び高い電源の電力（たとえば＞２０００Ｗ）の実施例では、バイアス電力は、約２７ＭＨｚの駆動周波数で最大２００Ｗまで増大して良い。しかしほとんどの実施例では、バイアス電力は、６０ＭＨｚを超えない駆動周波数−より詳細には１３．５６ＭＨｚの駆動周波数−で１５０Ｗを超えなくて良い。一の具体的実施例では、圧力は約４０ｍＴｏｒｒで、かつ、バイアス電力は５０Ｗ〜７０Ｗの間であって良い。一の高い圧力の実施例では、圧力は約１５ｍＴｏｒｒであって良く、かつ、バイアス電力は約１５０Ｗであって良い。
【００６９】
電力と圧力の組み合わせもまた、吸着プロセス（たとえば第１プラズマ３０２）から脱離プラズマ（たとえば第２プラズマ３０４）へイオンエネルギーを増大させるように最適化されて良い。たとえば、脱離プロセスのイオンエネルギーは２０ｅＶよりも大きくて良く、かつ、脱離プロセスでは、吸着プロセス中よりも基板１１０へ向かうイオン束は大きくて良い。より具体的な脱離の実施例では、イオンエネルギーは、４０ｅＶ〜７０ｅＶの範囲であって良いが、望ましくない元素からの基板１１０への損傷又は汚染を防止するスパッタ閾値未満に維持されようとしなければならない。
【００７０】
バイアス電力印加のタイミングは、交互に非対称的に適用されて良い。交互に非対称的に適用される際、バイアス電力がオフにされるときに吸着プロセスが実施され、かつ、バイアス電力がオンにされるときに脱離プロセスが実施されて良い。広義には、オン段階でのバイアスは、３００ｍｓ〜５０００ｍｓの範囲であって良く、ここでバイアスのオフ時間は１００ｍｓ〜３０００ｍｓの範囲である。そのため周期は４００ｍｓ〜８０００ｍｓの範囲であって良い。たとえば、一の実施例では、周期は１０００ｍｓ未満であって良い。ここでバイアスオフ期間が５００ｍｓ以下でバイアスオン期間が５００ｍｓ未満であって良い。一の具体的実施例では、周期は約５００ｍｓであって良い。ここでバイアスオフ期間が約１００ｍｓでバイアスオン期間が約４００ｍｓであって良い。他の具体的実施例では、バイアスオフ期間は約４５０ｍｓで、かつ、バイアスオン期間は１００ｍｓであって良い。
【００７１】
一部の実施例では、プラズマチャンバ１０２をパージし、かつ、他の気体混合物を再導入し、あるいは、プラズマチャンバ１０２から気体混合物を完全にパージせずに気体混合物を変化させるのに用いられ得る、バイアスオフ期間とバイアスオン期間との間での遷移が存在して良い。一の具体的実施例では、吸着と脱離との間での気体混合物のパージは、気体混合物がプロセスチャンバ１０２へ流入しない４秒未満の連続した真空状態であって良い。他のパージの実施例では、処理気体混合物は、希釈気体を流すことによってパージされ、かつ、プラズマプロセス圧力未満であり得るチャンバ１０２の圧力を実現して良い。
【００７２】
ブロック４１２では、第１プラズマ３０２と第２プラズマ３０４との間での遷移は、バイアス電力がオフとオンとオフを繰り返すときの周期にわたって気体混合物の濃度を変化させることによって可能となり得る。気体混合物は、図１〜図３の説明で述べたように、第１プラズマ３０２のプロセス中、反応気体と希釈気体を含んで良い。第２プラズマへの遷移は、体積にして、反応気体の濃度を第１プラズマ３０２の反応気体の濃度とは異なる濃度へ変化させる工程を含んで良い。反応気体の濃度は、吸着プロセスと脱離プロセスとの間で体積にして０％〜１００％の間で変化して良い。より具体的には、反応気体の濃度は、体積にして１０％〜１００％の範囲であって良い。ここで気体混合物の残りは希釈気体（たとえばＡｒ、Ｈｅ等、又はこれらの混合物）を含む。
【００７３】
一の具体的実施例では、気体混合物間での遷移は、気体混合物はプラズマチャンバ１０２から完全にはパージされないが、気体混合物の濃度は吸着プロセス条件から脱離プロセス条件へ遷移するように、流入する気体流を変化させることによって気体混合物をその場で変化させる工程を含んで良い。たとえば吸着プロセス条件は、体積にして１０％よりも大きい反応気体混合物濃度を有する気体混合物を含んで良い。制御装置１３２は、脱離プロセスのため、気体供給システム１０４からの気体流を変化させて、反応気体混合物の濃度を体積にして１０％未満に減少させて良い。一部の実施例では、制御装置１３２はまた、吸着プロセス（たとえば第１プラズマ３０２）と脱離プロセス（たとえば第２プラズマ３０４）との間でチャンバ圧力及び／又は第１電源の電力１２２をも変化させて良い。たとえば、吸着プロセスは少なくとも４０ｍＴｏｒｒのチャンバ圧力を有し、制御装置１３２は気体流又はポンピングコンダクタンスを調節することで、吸着プロセス圧力とは少なくとも１０％異なる脱離プロセス圧力へチャンバ圧力を変更して良い。
【００７４】
他の実施例では、気体混合物は、吸着プロセス及び脱離プロセス中、（体積にして）同一又は同程度の気体混合物濃度を有して良い。たとえば、気体混合物の濃度が２つのプロセス工程の間で体積にして２０％の範囲内になり得るように、（複数の種類の）反応気体と（複数の種類の）希釈気体は、吸着プロセスと脱離プロセスとの間で同一の濃度を有して良い。吸着プロセス及び脱離プロセス用の気体混合物が同一又は同様であるとき、電源の電力（たとえば電源集合体１１４への電力）は増大し、かつ、圧力は、基板１１０の表面での吸着と脱離との間で遷移するように減少して良い。
【００７５】
他の実施例では、第１プラズマ３０２と第２プラズマ３０４との区別又は第１プラズマ３０２と第２プラズマ３０４との間での変化は、第１プラズマ３０２が第２プラズマ３０４への遷移中に消滅しなくて良い点で連続的なプラズマであって良い。制御装置１３２は、吸着プロセスと脱離プロセスとの間での遷移中又は脱離から吸着への遷移中、プロセスチャンバ１０２内でプラズマ状態を維持するように、気体混合物、圧力、電力、又はこれらの組み合わせを変化させて良い。しかし他の実施例では、第１プラズマ３０２は消滅して良く（たとえば気体混合物へ電力が印加されない）、かつ、吸着状態の気体混合物が、脱離状態の気体混合物の導入前又は脱離状態の気体混合物への電力の印加前にパージされて良い。一の具体的実施例では、パージ期間は４秒未満であって良い。その結果、パージ期間は、第１プラズマ３０２の消滅からプラズマチャンバ１０２内での脱離状態の気体混合物の導入までで測定されて良い。しかしある実施例では、パージ期間は、第１プラズマ３０２の消滅と第２プラズマ３０４の点火との間で測定されて良い。
【００７６】
他の実施例では、パージ期間は、電磁エネルギーを気体混合物へ供する電源１０６内での過渡的状態を含んでも良いし、あるいは含まなくても良い。過渡的状態は、電源１０６がオン又はオフに切り換えられ得るとき、又は、印加電力がオフにされることなく異なる設定点間で遷移し得るときの電力スパイクを含んで良い。電源１０６の如何なる過渡的問題（たとえばオーバーシュート、アンダーシュート、又は安定化の回数）も、当業者によって実施可能な回路、フィルタ、又はソフトウエアによって処理されて良い。当業者は、吸着プロセス及び／又は脱離プロセス中、過渡的状態の回数を電源１０６のオンとオフの回数よりもはるかに少なくするような過渡的状態を制御する機能を設計して良い。
【００７７】
図５は、基板１１０上に吸着層３０６を生成する吸着状態のプラズマ（たとえば第１プラズマ３０２）と基板１１０から吸着層３０６を除去する脱離状態のプラズマ（たとえば第２プラズマ３０４）を生成する他の方法５００のフロー図である。上述したように、プラズマは、各異なる種類のハードウエアを用いた様々な方法を用いて生成されて良い。前記各異なる種類のハードウエアは、同一のプロセス条件を用いても良いし、あるいは、同一のプロセス条件を用いなくても良い。広義には、請求項の範囲は、本開示に記載されていないハードウエアを用いる実施例をも網羅して良い。たとえば方法５００に記載されたプラズマ特性は、複数のハードウエア及び／又はプロセス条件の実施例を網羅して良い。従って請求項の範囲は、本願で述べたハードウエア及び／又はプロセス条件の実施例に限定され得ない。
【００７８】
ブロック５０２では、プラズマ処理チャンバ１０２は、マイクロエレクトロニクス基板を受け取って良い。前記マイクロエレクトロニクス基板は、マイクロエレクトロニクスデバイスを生成するのに用いられ得るパターニングされた特徴部位又は素子を有し得る任意の種類の半導体基板を含んで良い。半導体基板は、任意の単元素基板（たとえばＳｉ）、シリコン・オン・インシュレータ基板、ＩＩＩ−Ｖ基板、又はエピタキシャル成長したシリコン基板を含んで良いが、これらに限定されるわけではない。基板１１０は、基板ホルダ１２４上に設けられ、かつ、電源集合体１１４と基板ホルダ１２４内に設けられ得るバイアス電極との間に備えられて良い。
【００７９】
ブロック５０４では、プラズマシステム１００は、図１〜図３の説明で述べたようにプロセスチャンバ１０２内において処理気体の第１混合物を用いて第１プラズマ３０２を生成して良い。プラズマ処理領域１１６内に１つ以上のラジカルとイオンを有する第１プラズマ３０２は基板１１０近傍に存在する。図３の説明で述べたように、ラジカルとイオンは、プラズマ処理領域１１６内に対応する束（たとえば（Γｉ、Γｒ）を有して良い。第１プラズマ３０２は、基板近傍のラジカル束とイオン束との比（ＲＩＲ）を有して良い。第１のＲＩＲは１００：１〜１０００：１の範囲の値を有する。任意の既知の方法を用いてプラズマ処理領域内で測定可能なイオンエネルギーは２０ｅＶ未満であって良い。一の実施例では、気体混合物は、４０ｍＴｏｒｒ〜５０ｍＴｏｒｒの圧力で維持され得る反応気体と希釈気体を含んで良い。反応気体は、酸素含有気体（たとえばＯｘ）又はハロゲン含有気体（たとえばＣｌｘ、Ｆｘ）を含んで良い。マイクロ波電力は、気体混合物へ印加されて良く、かつ、３００ＭＨｚ〜１０ＧＨｚの駆動周波数で１０００Ｗ〜１００００Ｗの範囲であって良い。第１プラズマ３０２の処理期間は、プラズマチャンバ１０２内で第２プラズマ３０４へ遷移する前の１２０ｍｓ〜２４０ｍｓの範囲であって良い。
【００８０】
ブロック５０６では、プラズマシステム１００は、図１〜図３の説明で述べたように、プロセスチャンバ１０２内で処理気体の第２混合物を用いることによって第２プラズマ３０４へ遷移して良い。第２気体混合物への遷移は、第１プラズマ３０２のプロセス期間の終了直後又はプラズマチャンバ１０２内での第２気体混合物の導入前に第１気体混合物の全部又は少なくとも一部を除去し得る１回以上のパージサイクルの終了直後に起こって良い。第２気体混合物は、（複数の種類の）反応気体、（複数の種類の）希釈気体、又はこれらの混合物の組成及び／又は濃度が第２気体混合物とは異なる。第２プラズマ３０４は、２０ｅＶよりも大きく、かつ、一の実施例では４０ｅＶ〜７０ｅＶの範囲であり得るイオンエネルギーを実現するように生成されて良い。また第２プラズマ３０４のΓｉもまた、第１プラズマのΓｉより大きくて良い。
【００８１】
一の実施例では、これらのイオンエネルギーと束の条件は、各異なる電力領域の組み合わせを第２気体混合物へ印加することによって可能となり得る。たとえば、マイクロ波エネルギーは電源集合体１１４によって印加され、かつ、バイアス電力１３０（たとえばＲＦ電力）は基板ホルダ１２４内の電極によって印加されて良い。マイクロ波エネルギーは、３００ＭＨｚ〜１０ＧＨｚの任意の周波数で１０００Ｗ〜１００００Ｗの範囲であって良い。対照的に、バイアス電力１３０は、３００ＭＨｚの駆動周波数で５０Ｗ〜１５０Ｗの範囲であって良い。第２プラズマ３０４のプロセス圧力は５ｍＴｏｒｒ〜１５０ｍＴｏｒｒの範囲であって良い。マイクロ波電力とバイアス電力１３０が気体混合物へ印加されるとき、第２プラズマ３０４の処理時間は最大５５０ｍｓの範囲であって良い。処理時間の終了時、第２プラズマ３０４は、第１プラズマ３０２へ戻るように遷移するか、又は、基板１１０上の他の吸着層３０６を生成し得る他のプラズマへ遷移して良い。
【００８２】
ブロック５０８では、プラズマチャンバ１０２は、ある周期にわたって吸着状態のプラズマ（たとえば第１プラズマ３０２）と脱離状態のプラズマ（たとえば第２プラズマ３０４）とを非対称的に交互に繰り返して良い。各吸着プロセス又は脱離プロセスの反復は、エッチングの反復のために同一のプラズマ条件を組み入れて良い。しかし各反復は、本願で開示された任意の実施例で説明されたプロセス条件の境界の範囲内で変化して良い。吸着プロセスと脱離プロセスは、５００ｍｓ〜５０００ｍｓの範囲であり得る周期の範囲内で実施されて良い。周期は、吸着／脱離プロセス間のパージ期間を含んで良いし、あるいは含まなくても良い。
【００８３】
上述の実施例に加えて、高精度プラズマエッチングは、基板１１０から（複数の）単分子層を選択的に除去することを可能にする他の化学物質及び／又はプロセス手順を有して良い。化学物質及び／又はプロセス手順の選択は、基板１１０の表面組成、表面の幾何学構造及び／若しくはサイズ、表面下の組成、下地の幾何学構造及び／若しくはサイズ、所望のエッチング速度、所望のエッチング選択性、又はこれらの組み合わせの観点から変化して良い。化学物質及び／又はプロセスの選択は、他の曝露された層及び／若しくは除去プロセスによって曝露され得る任意の下地層へ影響又は損傷を及ぼすことなくある膜の層を除去するように、当業者によってなされ得る。これらのさらなる実施例は、上述した吸着と脱離の原理を内包又は利用して良く、かつ、それらの２つの状態間での遷移を利用して基板１１０から（複数の）単分子層をエッチングして良い。
【００８４】
一部の実施例では、前記基板はパターニングされた表面を有して良い。前記パターニングされた表面は、プラズマへ曝露され得る様々な種類の膜を有して良いし、あるいは有しなくて良い。複数の種類の膜の組み合わせは、除去プロセスに関して各異なる選択性を有し得る。その結果一の膜の種類は、吸着プロセス中にはるかに大きな堆積／パッシベーション速度を有し、かつ、脱離プロセス中にははるかに大きなエッチング速度を有し得る。このようにして、基板の特定部分は（複数の）単分子層除去の標的となりえる。他方他の曝露された層は除去プロセスによって実質的に変更され得ない。マイクロエレクトロニクスデバイスの製造中に生成される構造は、基板１１０へ突出し得る／基板１１０から突出し得る複数の構造の組み合わせを含んで良い。前記特定部分は、基板中へのトレンチ、膜の積層体、基板１１０から突出し得るブロック、若しくはフィン、又はこれらの組み合わせを含んで良い。構造（たとえば膜の積層体、フィン）もまた異なる膜の層を有して良い。前記異なる膜の層はそれぞれ異なる厚さを有しても良いし、あるいは有していなくても良い。化学物質及び／又は手順の選択は、構造のサイズと組成だけではなく、マイクロエレクトロニクスデバイスとしての動作効果も補償し得る。たとえばある構造又は膜の層はデバイスの性能にとって重要であるが、他の構造又は膜の層は、後続の処理によって除去され得るか、あるいは、デバイスの電気的性能に影響を及ぼし得ない犠牲層と見なされ得る。当業者はまた、プロセス時間を抑制するように化学物質及び／又はプロセスを選択することで、製造コストを減少させても良い。場合によっては、当業者は、１枚の基板１１０を処理するときに各異なる化学物質及び／又はプロセス手順間で遷移させて良い。繰り返しになるが、その場での変化は、プロセス中での表面の組成及び／若しくは構造への変化を満足行くものにし、あるいは、除去のために基板の各異なる曝露部分を目標とするように意図して良い。ある場合では、その場での変化は、同一の曝露領域内に所望の構造を生成することを可能にするように行われて良い。たとえば当業者は、化学物質及び／又は手順を変更することで、トレンチ側壁プロファイル、トレンチ底部プロファイル、又は、ブロック若しくはフィンの構造のプロファイルを調節し得る。多くの異なる方法が、マイクロエレクトロニクスデバイスの複雑な構造及びデバイス性能の要求を解決するのに用いられて良い。高精度エッチングプロセスの多くは、どのようにして選択的除去エッチングが、パターニングされた基板６０２を用いることによってエレクトロニクスデバイスの製造に用いられ得るのかを表す単純な典型的実施例（図６参照）によって説明され得る。
【００８５】
図６は、パターニングされた基板６０２の一部から複数の単分子層を除去し得る連続的なプラズマ処理によってパターニングされた基板６０２が処理される代表的な手順６００の実施例を表している。手順６００は、図６の左上隅で開始される。そこでは、パターニングされた基板６０２はオーバーレイ層６０４とパターニングされた基板６０２の曝露部分６０６を有し得る。一の実施例では、オーバーレイ層６０４は、シリコンの下地層１１０を曝露するパターニングされたシリコン窒化物膜を含んで良いが、これに限定されるわけではない。除去プロセス中、プラズマは、オーバーレイ層６０４及び曝露部６０６と相互作用して良い。多くの場合、オーバーレイ層６０４は、プラズマによって（最小にしか）影響を受け得ない。その結果オーバーレイ層６０４は、曝露部６０６の処理を妨害するような影響を受け得ない。しかし場合によっては、デバイスの性能に影響を及ぼし得ないオーバーレイ層６０４の堆積又はエッチングはわずかしか存在し得ないかもしれない。
【００８６】
図６は、どのようにしてパターニングされた基板６０２が吸着／脱離法を用いて処理され得るのかを表す一の実施例に過ぎない。一連の工程６０８−６２０は一のプラズマ処理の実施例を表す。他の工程は、当業者によって決定された所望の結果を実現するように追加又は省略されて良い。
【００８７】
基板６０２のパターニング法は、わかりやすい例示のために示されていない。しかし当業者は既知の方法（たとえば堆積、パターニング、エッチング）を用いることによって、基板６０２、パターニングされたオーバーレイ層６０４、及び基板６０２の曝露部６０６を有するパターニングされた基板６０８を生成する。図６はパターニングされた基板６０８の一部分を示している。しかしこのパターン又は他のパターンは、パターニングされた基板６０８全体にわたって含まれて良い。当業者は、不適切な実験を行うことなく基板全体にわたる特徴部位を満足行くものにするために化学物質及び／又は手順を最適化する方法を理解する。他の実施例では、パターン部分と曝露部分のサイズと構造は変化して良い。前記構造には、デバイスの電気的絶縁部の複雑なパターンとトランジスタ構造（たとえばゲート）、又はメモリ構造が含まれて良い。
【００８８】
吸着層の実施例で６１０では、初期プラズマ（たとえば第１プラズマ３０２）は、曝露部６０６で吸着層６２２を生成するのに用いられて良い。厚さ６２４は、基板６０２の組成と吸着状態のプラズマの化学物質に依存して１〜５分子層の範囲をとって良い。吸着層６２２は上述したように、気体混合物／プラズマと基板１１０からの複数の元素の組み合わせを用いて生成されて良い。吸着層６２２の厚さは、どの程度遠くへ元素が基板１１０内へ拡散し得るのかで限定され得る。
【００８９】
この実施例では、基板６０２は、基板６０２の曝露部６０６で酸化層（たとえば吸着層６２２）を生成するように酸素含有プラズマ（たとえば第１プラズマ３０２）で処理され得る結晶シリコンを含んで良いが、これに限定されるわけではない。酸素含有プラズマは、吸着層６２２の水平成長を制限するように調節されて良い。その結果曝露部６０６の堆積及び／又は酸化は、基板６０２の表面の水平方向よりも垂直方向でより迅速に増大する。このようにして、吸着層６２２は、オーバーレイ層６０４の下で突出し得る吸着層６２２の量を抑制しながら１〜５分子層の厚さ６２４を有して良い。上述したように、吸着状態のプラズマ（たとえば第１プラズマ３０２）は、脱離状態のプラズマ（たとえば第２プラズマ３０４）へ遷移することで、基板６０２の第２部分６２６を曝露するように吸着層６２２を除去して良い。第２部分６２６は、脱離処理の自己制限態様に起因して吸着層６２２と同様の側壁厚さ６２８と幅を有して良い。一の場合では、脱離処理は、少なくとも部分的には、吸着層６２２と基板６０２との間での相対的に高いエッチング選択性に基づいて自己制限的であって良い。吸着層６２２のエッチング速度は基板６０２よりもはるかに速く、かつ、曝露された側壁は吸着層６２２ほどには容易に除去されない。
【００９０】
除去された吸着層の実施例６１２は、吸着層６２２の除去後の基板６０２の第２曝露部分６２６を表している。第２曝露部分６２６は、吸着層６２２と基板１１０との間でのエッチング選択性が相対的に高いことに起因して、吸着層６２２の幾何学構造に対して相対的にコンフォーマルであって良い。第２曝露部６２６は、基板１１０からさらなる単分子層を除去し得る後続のプロセスに曝露され得る側壁及び底部壁を有して良い。吸着層６２２の除去に続いて、脱離状態のプラズマは、第２曝露部６２６を処理し得る吸着プロセスへ戻るように遷移して良い。
【００９１】
第２吸着の実施例６１４は、基板６０２の第２曝露部６２６の第２吸着処理の結果を表している。第２吸着プロセスは、第２曝露部６２６の側壁又は底部壁に沿った新しい（複数の）単分子層の堆積、パッシベーション、又は酸化に限定されて良い。第２吸着プロセスは、本願で開示された１つ以上の吸着実施例又は当業者が第２吸着層６２８の生成に用いることの可能な任意の他のプロセスを含んで良い。一の実施例では、第２吸着層６２８は、本願で開示された１つ以上の実施例を用いることによって水平方向及び／又は垂直方向に第２曝露部６２６をパッシベーション又は酸化させて良い。側壁プロセスは、吸着状態のラジカル３１０を側壁へ接触しにくくすることが可能な本願で開示された１つ以上のプロセス条件（たとえば圧力等）による側壁の堆積、パッシベーション、及び／又は酸化速度の制御に基づいて自己制限的であって良い。第２吸着プロセスは、所望の側壁厚さ６３０を生成するように最適化されて良い。所望の側壁厚さ６３０は、第２吸着層６３０の底部と同一の厚さであって良いし、あるいは、同一の厚さでなくても良い。このようにして、トレンチは、基板６０２へ入り込むように側方に延びる代わりに基板６０２へ入り込むようにさらに下方に延びて良い。
【００９２】
第２脱離の実施例６１６は、第２脱離状態のプラズマに第２吸着層６２８を曝露した結果を示している。前記第２脱離状態のプラズマは、トレンチの底部で除去可能な第２吸着層６２８の量よりも少ない量の側壁を選択的に除去するように最適化されて良い。このようにして、底部壁が基板１１０を曝露するが側壁は基板１１０を曝露しないように、第３曝露部６３２は生成されて良い。一の実施例では、トレンチ底部の選択的除去は、脱離状態のプラズマ中でのイオン３１６の方向を最適化させることによって実現されて良い。その結果イオン３１６は、トレンチの底部よりも側壁とより相互作用すなわちエッチングしにくくなる。第２脱離状態のプラズマは本願で開示された任意のプロセスを用いて生成されて良い。繰り返しになるが、第２脱離状態のプラズマは、第３曝露部６３２を処理するように第３吸着状態のプラズマへ遷移されて良い。
【００９３】
第３吸着の実施例６１８は、本願で開示された１つ以上の吸着処理を用いた第３吸着状態のプラズマを用いることによる第３吸着層６３４の生成を表している。第３吸着層６３４は、側壁厚さ６３６を維持する一方で、トレンチ底部に生成される数分子層を有して良い。最後にこの実施例では、第３吸着状態のプラズマは、第３脱離の実施例６２０で示したように、第３脱離状態のプラズマへ遷移し、かつ、基板６０２を曝露して良い。吸着／脱離プロセスは、所望のトレンチ構造が生成されるまで反復されて良い。また吸着／脱離プロセスは、他の構造に適用されて良く、かつ、図６に表された実施例に限定されない。
【００９４】
図７−９は、基板１１０の一部から複数の単分子層を除去するのに用いられ得る吸着状態のプラズマと脱離状態のプラズマとの間での遷移についての複数の処理の実施例を表している。これらの実施例は、プラズマ処理システム１００によって実装可能なプロセス条件間の関係を表すことを意図していて、本願で開示された特定の化学処理法又はプロセス条件に限定されることを意図していない。プロセス条件の関係の範囲は、表された実施例に限定されることを意図していない。たとえば図７−９で示された大きさ又は期間は、請求項の範囲又は任意の実施例の実施の範囲を限定することを意図していない。使用され得るプロセス条件の大きさ及び期間は本開示に開示されている。さらに手順はまた、限定ではなく説明の便宜上省略された部分（たとえばパージ、安定化）をも有して良い。図７−９は、ｙ軸にプロセス条件を示してｘ軸に時間を示すように構成され、かつ、プラズマ処理システム１００が、基板１１０の処理中に相互に対してそれらの条件を制御し得るのかについての少なくとも１つの考えられ得る実施例を表している。
【００９５】
図７は、プラズマ処理システム１００によって実装可能な吸着／脱離処理の手順の流れ図７００を表し、かつ、吸着状態のプラズマ（たとえば第１プラズマ３０２）と脱離状態のプラズマ（たとえば第２プラズマ３０４）との間の関係についての一の実施例を示すことを意図している。図７は、吸着プロセスと脱離プロセスが２回「オン」と「オフ」になる吸着／脱離プロセスの２回の反復を表している。しかし他の実施例では、より多くの反復が実行されて良い。
【００９６】
この実施例では、プラズマ処理システム１００は、電源電力７０２、バイアス電力７０４、吸着気体７０６、及び脱離気体７０８を制御することで、基板１１０から複数の単分子層を除去する反復高精度エッチングプロセスを実施して良い。この場合、電源電力７０２は電源集合体１１４へ印加され、バイアス電力は基板ホルダ１２４へ印加され、かつ、吸着気体と脱離気体は気体流路１２０から分配されて良い。チャンバ圧力は真空システム１０８によって制御されて良い。
【００９７】
プラズマ処理システム１００は、気体混合物、バイアス電力、及びチャンバ圧力を変化させることによって吸着状態のプラズマと脱離状態のプラズマとを交互に繰り返して良い。図７に図示されているように、システム１００は、プラズマチャンバ１０２内で吸着気体７０８の混合物と脱離気体７１０の混合物とを交互に繰り返して良い。気体混合物の変化と共に、システムもまた、どの気体混合物が存在し得るのかに依存してチャンバ圧力を高く変化させて良いし、あるいは、高く変化させても良い。この実施例では、吸着気体７０８が存在し得るときのチャンバ圧力７０６は、脱離気体７１０が存在し得るときよりも高くて良い。同様にバイアス電力７０４は、脱離気体７１０が存在するときには気体混合物へ印加されて良く、かつ、脱離気体７０８が存在するときにはオフにされて良い。この実施例では、電源電力７０２は複数の気体混合物のうちのいずれかに連続的に印加されて良い。しかし連続的な電源電力７０２は常に必要という訳ではない。電源電力７０２が一定であるように示されているが、電源電力７０２の大きさは、バイアス電力７０４、チャンバ圧力７０６、吸着気体７０８、又は脱離気体７１０と共に変化して良い。一の具体的実施例では、吸着中でのチャンバ圧力７０６は少なくとも４０ｍＴｏｒｒであって良く、かつ、脱離中でのチャンバ圧力７０６は４０ｍＴｏｒｒ未満であって良い。図７の実施例に関する他の実施例は図４、図５、及び図１０のところで説明されている。
【００９８】
図８は、プラズマ処理システム１００によって実装可能な吸着／脱離処理の別な手順の流れ図８００を表し、かつ、吸着状態のプラズマ（たとえば第１プラズマ３０２）と脱離状態のプラズマ（たとえば第２プラズマ３０４）との間での遷移を示すことを意図している。この実施例では、表された手順の流れ図８００は、電源電力８０２、バイアス電力８０４、及び脱離気体８０８を維持しながら吸着気体の流れ８０６を変化させることによって吸着と脱離との間での遷移を管理するプラズマ処理プロセスを示している。この場合、吸着気体の流れ８０６における変化量は、電源電力８０２、バイアス電力８０４、及び脱離気体８０８に対する相対変化量よりも大きい。図８の実施例が、他のプロセス条件が一定の大きさに維持されていることを示しているが、これらのプロセス条件は、遷移中に変化して良いが、吸着気体８０６によって実現される変化の大きさほどではない。たとえば吸着気体８０６は体積にして２０％以上変化して良い。他方他のプロセス条件は一定で良いし、あるいは、２０％未満で変化して良い。これらの変化によって、吸着／脱離遷移は、基板１１０の高精度エッチングを可能にする。一の具体的実施例では、吸着気体８０６は体積にして２０％以上変化して良いが、他のプロセス条件は、吸着／脱離遷移中に１０％未満で変化して良い。
【００９９】
他の実施例では、吸着気体８０６と脱離気体８０８との間の関係は反転して良い。その結果吸着と脱離との間での遷移は基本的に、脱離気体８０８を変化させることによって実施されて良い。従って吸着気体８０６は、他のプロセス条件よりもはるかに大きく変化し得る脱離気体８０８と比較して相対的に一定であって良い。たとえば脱離気体８０８は体積にして２０％以上変化して良く、他方他のプロセス条件は一定であって良いし、あるいは、２０％未満で変化して良い。一の具体的実施例では、脱離気体８０８は体積にして２０％以上変化して良いが、他のプロセス条件は吸着／脱離遷移中１０％未満で変化して良い。
【０１００】
他の実施例では、チャンバ圧力（図示されていない）もまた、気体混合物の変化と共に変化して良い。チャンバ圧力は、本願の実施例で開示されているように、吸着プロセス中には高くて、かつ、脱離プロセス中には低くて良い。たとえば電源電力８０２、バイアス電力８０４、脱離気体８０８が、吸着気体８０６と比較して相対的に一定であり続け得る一方で、チャンバ圧力（図示されていない）もまた、電力及び脱離気体８０８のプロセス条件よりも大きく変化して得る。図８に関する他の実施例は、図１１のところで説明されている。
【０１０１】
図９は、複数のプロセス条件のうちの少なくとも１つが吸着／脱離プロセスの反復間で変化し得るプラズマ処理プロセスの一実施例を表している。１つ以上のプロセス条件（たとえば電力、気体混合物、圧力、時間）は、吸着／脱離遷移の複数の反復中に増減して良い。変化は、長期間にわたる基板１１０の表面の変化（たとえば表面積、組成等）又はプラズマチャンバ１０２の条件を満足行くようにするためになされて良い。これらの変化の一部は、１回以上の後続の反復中に大きさ又は期間を介してプロセス条件を調節することによって満足行くようにされて良い。プロセス条件の変化は各反復についてなされて良いし、あるいは、２回以上の反復後になされても良い。
【０１０２】
図９は、複数のプロセス条件のうちの１つ（たとえばバイアス電力９０４）の大きさが、吸着／脱離遷移の１回の反復中に増大する一の具体的実施例を表している。この実施例では、バイアス電力９０４は処理の第２脱離部分中に増大して良い。図９に図示されているように、初期バイアス電力９０４の大きさはバイアス電力９０４の第２反復よりも小さい。バイアス電力９０４の第２反復は、上述の基板１１０の変化を満足行くものにするように高くなり得る。たとえばプロセス条件の変化は、さらなる吸着／脱離の反復によってより深くなる基板１１０内でのトレンチを満足行くようにし得る。増大したバイアス電力９０４は、図６に図示されているように、深いトレンチからの吸着層３０６の除去又は曝露されたトレンチの側壁に影響を及ぼし得る多数のイオン３１６の抑制に必要なエネルギーの大きさを増大させ得る。
【０１０３】
図９の実施例では、バイアス電力９０４は、表面積変化を満足行くようにするために増大して良い。この実施例では、システム１００は、吸着／脱離遷移中、電源電力９０２、吸着気体９０６、及び脱離気体１００６を相対的に一定の大きさに維持する。しかし図９において相対的に一定の条件の変化の大きさが、バイアス電力９０４における変化よりもはるかに小さくなり得るように、相対的に一定のプロセス条件もまた他の実施例ではわずかに変化して良い。一の例では、バイアス電力９０４における変化の大きさは１０％よりも大きい一方で、他のプロセス条件における変化は１０％未満であって良い。
【０１０４】
しかし他の実施例では、バイアス電力９０４はまた、大きさ又は大きさに対して独立に変化し得る期間に対して増減しても良い。一の実施例では、脱離期間は長期間にわたって増大することで、基板１１０の大部分を除去し、あるいは、基板１１０上の任意の残留層を除去するオーバーエッチングを供し、あるいは、後続のプロセス用に基板１１０を準備して良い。しかし他の実施例では、１つ以上のプロセス条件は、表面積の変化又は組成変化を満足行くように組み合わせて変更されて良い。従って図９の実施例の範囲は、バイアス電力の変化に限定されず、かつ、電源電力、気体混合物、圧力、又はこれらの任意の組み合わせを含んで良い。図９に関連する他の実施例はまた図１２のところでも説明される。
【０１０５】
図１０は、第１プラズマ３０２と第２プラズマ３０４を生成して、基板１１０から（複数の）単分子層を選択的に除去する他の方法の流れ図１０００を表している。この実施例では、第１プラズマ３０２と第２プラズマ３０４との間での遷移は、気体混合物と、プラズマチャンバ１０２へ印加される電磁エネルギーを変化させることによって実施されて良い。ある場合では、処理は、基板１１０の種類の観点からある化学領域に適合されて良い。一の実施例では、シリコン基板１１０は、酸素含有プラズマ（たとえば第１プラズマ３０２）とフルオロカーボンプラズマ（たとえば第２プラズマ３０４）とを交互に繰り返すことによって処理されて良い。
【０１０６】
ブロック１００２では、プラズマプロセスチャンバ１０２はマイクロエレクトロニクス基板１１０を受けて良い。前記マイクロエレクトロニクス基板は、マイクロエレクトロニクスデバイスを生成するのに用いられ得るパターニングされた特徴部位又は構成要素を有し得る任意の種類の半導体基板を含んで良い。半導体基板１１０は、任意の単元素基板（たとえばＳｉ）、シリコン・オン・インシュレータ基板、ＩＩＩ−Ｖ基板、又はエピタキシャル成長したシリコン基板を含んで良いが、これらに限定されるわけではない。基板１１０は、基板ホルダ１２４上に設けられ、かつ、電源集合体１１４と基板ホルダ１２４内に設けられ得るバイアス電極との間に備えられて良い。一の実施例では、基板１１０は、図６に図示されているように、シリコン基板１１０の一部を曝露するパターニングされた表面（たとえばオーバーレイ層６０４）を有して良い。オーバーレイ層６０４は、シリコン窒化物膜であって良く、あるいは、下地の基板１１０と比較して高いエッチング選択性を有し得る任意の他の膜であっても良い。
【０１０７】
ブロック１００４では、プラズマシステム１００は、プラズマプロセスチャンバ１０２内に酸素含有プラズマを生成して、基板１１０の第１部分を処理して良い。図３のところで述べたように、基板１１０の表面上に堆積又は基板１１０の表面のパッシベーションを行うことで吸着層３０６を生成し得るラジカルを含んで良い。吸着層３０６は、プラズマ気体混合物と基板１１０からの元素の組成物を有して良い。理想的には、吸着層３０６は基板１１０とは十分に異なって良い。その結果後続の処理は、下地の基板１１０を損傷させることなく基板１１０から吸着層３０６を除去し得る。実際には、吸着層３０６は、下地の基板１１０よりもはるかに高いエッチング速度を有する。一の具体的実施例では、エッチング速度の差異は約１桁であって良い。
【０１０８】
酸素含有プラズマは、５ｍＴｏｒｒ〜１０００ｍＴｏｒｒの間の圧力に維持され得るプラズマチャンバ１０２へ酸素含有気体を流すことによって生成され得る。１０００Ｗ〜３０００Ｗの範囲の電源電力（駆動周波数は３００ＭＨｚよりも大きい）が、電源集合体１１４を介して酸素含有気体へ印加されることで、図３のところで説明したラジカルを生成して良い。酸素含有プラズマが１００ｍｓ〜３０００ｍｓの間基板１１０に曝露され得るときに、ラジカルは吸着層３０６を生成するのに用いられて良い。
【０１０９】
ブロック１００６では、プラズマ処理チャンバ１１０は、基板１１０から第１部分（たとえば吸着層３０６）を選択的に除去するようにフルオロカーボンへ遷移して良い。フルオロカーボンプラズマは、１０００Ｗ〜３０００Ｗの電源電力（駆動周波数は３００ＭＨｚよりも大きい）と基板ホルダ１２４を介して印加される１０Ｗ〜２００Ｗのバイアス電力（駆動周波数は３００ＭＨｚよりも小さい）を用いることによって生成されるＣｘＦｙ（たとえばＣＦ４、Ｃ４Ｆ６、又はＣ４Ｆ８）気体又はＣｘＦｙＨｚ気体を少なくとも有して良い。チャンバ圧力は、少なくとも１００ｍｓ〜３０００ｍｓ持続し得るフルオロカーボン処理中に５ｍＴｏｒｒ〜１０００ｍＴｏｒｒに維持されて良い。一の具体的実施例では、酸素含有気体の処理とフルオロカーボン気体の処理は５０００ｍｓを超える期間続かなくて良い。その結果吸着層３０６の生成と除去は５０００ｍｓ未満で可能となる。他の実施例では、５０００ｍｓの期間は、本願で述べたように気体のパージ又は圧力の安定化を含まなくて良い。図６に図示されているように、プラズマ処理プロセスは、基板１１０からさらなる単分子層を除去するように繰り返されて良い。
【０１１０】
ブロック１００８では、プラズマ処理システム１００は、ブロック１００４のところで説明した範囲内でのプロセス条件を用いる同一又は同様の酸素含有プラズマを用いることによって基板１１０上に他の吸着層又は同様の吸着層３０６を付与して良い。酸素含有プラズマは、ブロック１００６のところで説明したフルオロカーボンプラズマによって曝露された基板１１０の一部を処理するのに用いられて良い。図６は、反復処理の一の典型的実施例を表す。
【０１１１】
他の実施例では、酸素含有プラズマのプロセス条件は、ブロック１００４のプロセス中に用いられるこれまでの反復とは異なって良い。図９のところで説明したように、１つ以上のプロセス条件は、これまでの吸着処理とは異なり得る様々な表面被覆処理からの利点を得ることができる基板１１０の表面の変化又は特徴部位を満足行くように変化して良い。１つ以上のプロセス条件はある場合では最大１０％変化して良い。しかしプロセス条件の変化はすべての場合において１０％に限定されなくて良い。
【０１１２】
ブロック１０１０では、プラズマ処理システム１００は、ブロック１００６のところでの説明と同様にフルオロカーボンプラズマへ遷移して良い。その結果、下地層の除去を抑制しながら、第２吸着層は基板１１０から選択的に除去されて良い。
【０１１３】
一の具体的実施例では、第２バイアス電力９０４は第１バイアス電力から０．５％乃至５％変化して良い。バイアス電力９０４は、連続するバイアス印加で増大して良いし、あるいは、少なくとも２つ以上の連続する印加でより高い設定に遷移しても良い。当業者は、バイアス電力を調節することで、不適切な実験を行うことなく所望の目標基板厚さ又は特徴部位を実現するために複数の単分子層を選択的に除去し得る。
【０１１４】
他の実施例では、図１０の方法１０００の第１プラズマ３０２と第２プラズマ３０４の反応気体は他の気体に置換されて良く、かつ、処理されている基板１１０はシリコン以外であって良い。方法１０００の技術的範囲は、第１プラズマ３０２用の酸素含有気体又は第２プラズマ３０４用のフルオロカーボン気体に限定されなくて良い。たとえば図１〜図５で開示された処理法は、図７及び図１０のところで説明した方法を含んで良い。
【０１１５】
図１１は、第１プラズマ３０２と第２プラズマ３０４を生成して、基板１１０から単分子層を選択的に除去する他の方法の流れ図１１００を表している。吸着と脱離との間で遷移する一の方法は、吸着気体８０６と脱離気体８０８のうちの一の気体が他の気体よりも速い速度でプラズマチャンバ１０２内において交換されるように、吸着気体８０６と脱離気体８０８を処理チャンバの両方へ導入することであって良い。たとえば複数の種類の気体のうちの一（たとえば脱離気体８０８）は相対的に一定の流量のままである一方、他の反応気体（たとえば吸着気体８０６）は、吸着層を生成又は除去するためにより大きな流量に変化して良い。図８は、吸着気体８０６が吸着／脱離の間での遷移を容易にするように変化する一実施例を表す。
【０１１６】
ブロック１１０２では、プラズマプロセスチャンバ１０２はマイクロエレクトロニクス基板１１０を受けて良い。前記マイクロエレクトロニクス基板は、マイクロエレクトロニクスデバイスを生成するのに用いられ得るパターニングされた特徴部位又は構成要素を有し得る任意の種類の半導体基板を含んで良い。半導体基板１１０は、任意の単元素基板（たとえばＳｉ）、シリコン・オン・インシュレータ基板、ＩＩＩ−Ｖ基板、又はエピタキシャル成長したシリコン基板を含んで良いが、これらに限定されるわけではない。基板１１０は、基板ホルダ１２４上に設けられ、かつ、電源集合体１１４と基板ホルダ１２４内に設けられ得るバイアス電極との間に備えられて良い。一の実施例では、基板１１０は、図６に図示されているように、シリコン基板１１０の一部を曝露するパターニングされた表面（たとえばオーバーレイ層６０４）を有して良い。オーバーレイ層６０４は、シリコン窒化物膜であって良く、あるいは、下地の基板１１０と比較して高いエッチング選択性を有し得る任意の他の膜であっても良い。
【０１１７】
ブロック１１０４では、プラズマシステム１１０は、第１プラズマ３０２を用いる基板１１０の第１部分を処理して良い。第１プラズマ３０２は、酸素、フッ素、及び炭素を含んで良いが、これらに限定されるわけではない。気体混合物は、反応気体（ＣｘＦｙ、Ｏｚ等）と、（複数の種類の）反応気体と比較したときに（複数の種類の）反応気体及び基板１１０と化学的に反応しにくいと思われる（複数の種類の）希釈気体を含んで良い。気体混合物は、基板１１０上で吸着が起こるように高いラジカル濃度を容易にするようにＣｘ及び／又はＦｙよりも高い酸素（Ｏｘ）濃度を有して良い。吸着状態のプラズマはＣイオンとＦイオンを含むが、ラジカル濃度は、イオンによって生じる脱離速度よりも吸着速度を速くするのに十分な程度高くて良い。一の具体的実施例では、酸素（Ｏｘ）濃度は、吸着工程中ではプラズマチャンバ１０２内の体積の少なくとも５０％であって良い。
【０１１８】
この実施例では、処理は、１０００Ｗ〜３０００Ｗの電源電力（駆動周波数は３００ＭＨｚよりも大きい）と１０Ｗ〜２００Ｗのバイアス電力（駆動周波数は３００ＭＨｚよりも小さい）を５ｍＴｏｒｒ〜１０００ｍＴｏｒｒに維持され得るプラズマプロセスチャンバ１０２へ印加する工程を有して良い。処理は、後続の処理によって、下地の層よりも基板１１０から容易に除去され得るように基板１１０上に第１部分（たとえば吸着層３０６）を生成して良い。
【０１１９】
ブロック１１０６では、プラズマ処理システム１００は、第１プラズマ３０２（たとえば吸着状態のプラズマ）を第２プラズマ３０４（たとえば脱離状態のプラズマ）へ遷移させることで、被処理基板の第１部分を選択的に除去して良い。第２プラズマ３０４は、基板１１０から第１部分（たとえば吸着層３０６）を除去するのに用いられ得るイオンを生成し得るフッ素及び炭素から本質的に構成される気体混合物を有して良い。この実施例では、吸着と脱離との間での遷移は、吸着速度よりも速くするように脱離速度を遷移させることによって起こりえる。一の方法は、気体混合物が体積にしてＣｘ、Ｆｙ、又は（複数の種類の）ＣｘＦｙ気体のうちの任意の少なくとも５０％を含み得るように、前記気体混合物内での炭素とフッ素の濃度を増大させることであって良い。一の具体的実施例では、気体混合物は、ＣＦ４、Ｃ４Ｆ６、又はＣ４Ｆ８を含んで良い。他の実施例では、気体混合物は少量のＯｘを含んで良い。その結果反応気体イオンによって駆動される脱離速度は、存在し得る任意のＯｘラジカル又はプラズマによって駆動され得る吸着速度よりもはるかに速くなり得る。従ってＯｘの濃度は、存在する場合には、気体混合物中でのＯｘ元素が最小の効果を有して、基板１１０上での脱離処理への小さな希釈効果を超えない程度に小さくて良い。
【０１２０】
この実施例では、処理は、１０００Ｗ〜３０００Ｗの電源電力（駆動周波数は３００ＭＨｚよりも大きい）と１０Ｗ〜２００Ｗのバイアス電力（駆動周波数は３００ＭＨｚよりも小さい）を５ｍＴｏｒｒ〜１０００ｍＴｏｒｒに維持され得るプラズマプロセスチャンバ１０２へ印加する工程を有して良い。
【０１２１】
ブロック１１０８では、プラズマ処理システム１００は、第１部分の処理に用いられ得る同一又は同様の第１プラズマ３０２を用いることによって基板１１０の第２部分を処理し、かつ、第１吸着層３０６と同様であり得る第２吸着層を生成して良い。この実施例では、第２吸着層の生成は、広義には図８で表されているように、脱離気体８０８に対する吸着気体８０６の濃度を増大させる結果起こりえる。以前の通り、気体混合物は、酸素、フッ素、及び炭素を含んで良いが、これらに限定されるわけではない。この実施例では、第２処理は、１０００Ｗ〜３０００Ｗの電源電力（駆動周波数は３００ＭＨｚよりも大きい）と１０Ｗ〜２００Ｗのバイアス電力（駆動周波数は３００ＭＨｚよりも小さい）を５ｍＴｏｒｒ〜１０００ｍＴｏｒｒに維持され得るプラズマプロセスチャンバ１０２へ印加する工程を有して良い。
【０１２２】
ブロック１１１０では、プラズマ処理システム１００は、第２プラズマ３０４へ遷移することで、第２部分（たとえば第２吸着層）の脱離速度が下地層の脱離速度よりも高くなり得るようにして、基板１１０から第２部分を選択的に除去して良い。この実施例では、処理は、１０００Ｗ〜３０００Ｗの電源電力（駆動周波数は３００ＭＨｚよりも大きい）と１０Ｗ〜２００Ｗのバイアス電力（駆動周波数は３００ＭＨｚよりも小さい）を５ｍＴｏｒｒ〜１０００ｍＴｏｒｒに維持され得るプラズマプロセスチャンバ１０２へ印加する工程を有して良い。
【０１２３】
他の実施例では、図１１の方法１１００の第１プラズマ３０２と第２プラズマ３０４の反応気体は他の気体に置換されて良く、かつ、処理されている基板１１０はシリコン以外であって良い。たとえば図１−図５のところで開示された処理法は、方法１１００で開示された処理法又は図８又は図９に記載された処理法を有して良い。
【０１２４】
図１２は、基板を処理するために第１プラズマ３０２と第２プラズマ３０４を生成し、かつ、２つのプラズマ領域を交互に繰り返し、かつ、１回以上の反復のために１つ以上のプロセス条件（たとえば電力、圧力、気体混合物）を変化させる他の方法の流れ図１２００を表している。本開示の範囲は、図９に表されたバイアス電力の実施例に限定されてはならない。図９は、反復によるプロセス条件の最適化についての一実施例を表しているに過ぎない。プロセス条件は、組成（たとえば種類又は濃度）又は構造（たとえば表面積）における基板表面の変化を満足行くものにするために反復間に変更されて良い。一の具体的実施例では、脱離工程中に印加されるバイアス電力は、後続の脱離工程中に少なくとも１回増大されて良い。
【０１２５】
ブロック１２０２では、プラズマプロセスチャンバ１０２はマイクロエレクトロニクス基板１１０を受けて良い。前記マイクロエレクトロニクス基板は、マイクロエレクトロニクスデバイスを生成するのに用いられ得るパターニングされた特徴部位又は構成要素を有し得る任意の種類の半導体基板を含んで良い。半導体基板１１０は、任意の単元素基板（たとえばＳｉ）、シリコン・オン・インシュレータ基板、ＩＩＩ−Ｖ基板、又はエピタキシャル成長したシリコン基板を含んで良いが、これらに限定されるわけではない。基板１１０は、基板ホルダ１２４上に設けられ、かつ、電源集合体１１４と基板ホルダ１２４内に設けられ得るバイアス電極との間に備えられて良い。一の実施例では、基板１１０は、図６に図示されているように、シリコン基板１１０の一部を曝露するパターニングされた表面（たとえばオーバーレイ層６０４）を有して良い。オーバーレイ層６０４は、シリコン窒化物膜であって良く、あるいは、シリコン又は下地の基板１１０と比較して高いエッチング選択性を有し得る任意の他の膜であっても良い。
【０１２６】
ブロック１２０４では、プラズマ処理システム１００は、基板１１０を第１プラズマ３０２と第２プラズマ３０４へ交互に曝露することで、基板１１０から１層以上の単分子層を除去して良い。第１プラズマ３０２は、本願で開示された任意の吸着プラズマプロセスを用いて生成されて良い。それに続いて第２プラズマ３０４が本願で開示された任意の脱離プラズマプロセスによって生成されて良い。上述したように、第１プラズマ３０２は吸着層３０６を生成し、かつ、第２プラズマ３０４は基板１１０から吸着層３０６を選択的に除去するのに用いられて良い。
【０１２７】
ブロック１２０６では、プラズマ処理システム１００は、基板１１０への少なくとも２回の第２プラズマ３０４の曝露の間にバイアス電力９０４を増大させて良い。たとえば一の実施例では、バイアス電力は第２プラズマ３０４の各反復間に増大して良い。しかし他の実施例では、バイアス電力は、各反復で増大する必要はない。これらの実施例では、バイアス電力はこれまでのバイアス電力曝露の０．５％〜５％変化（たとえば増大又は減少）して良い。大きさの変化に加えて、バイアス電力期間もまたこれまでのバイアス電力曝露期間の０．５％〜５％変化して良い。しかし他の実施例では、バイアス電力は曝露間で５％よりも大きく変化して良い。
【０１２８】
「要約」ではなく「発明の詳細な説明」が請求項の解釈に用いられることに留意して欲しい。「要約」は、本開示の１つ以上の実施例を説明するが、すべての実施例を説明するわけではないので、本開示及び特許請求の範囲を限定すると解されてはならない。
【０１２９】
本開示が１つ以上の実施例によって表され、かつ、実施例が十分詳細に説明されているが、これらは、請求項の範囲を係る詳細な事項に限定すると解されてはならない。さらなる利点や修正型は当業者には容易に思いつく。従って広い態様での発明は、図示及び説明されてきた具体的詳細、代表的装置、及び方法並びに典型的実施例に限定されない。従って一般的な発明の基本概念の範囲から逸脱することなくそのような詳細な事項から逸脱することは可能である。
【図１】
0006042498.tif 000002
【図２】
0006042498.tif 000003
【図３】
0006042498.tif 000004
【図４】
0006042498.tif 000005
【図５】
0006042498.tif 000006
【図６】
0006042498.tif 000007
【図７】
0006042498.tif 000008
【図８】
0006042498.tif 000009
【図９】
0006042498.tif 000010
【図１０】
0006042498.tif 000011
【図１１】
0006042498.tif 000012
【図１２】
0006042498.tif 000013